(57)【特許請求の範囲】
【請求項１】
ワイヤレス通信の方法であって、
ユーザ機器（ＵＥ）が、複数のオペレータの間で共有することを可能にするスペクトルである共有スペクトルのキャリアにわたってサービング基地局からの基準信号を検出することと、
前記ＵＥが、前記基準信号を測定することと、
前記ＵＥが、前記測定された基準信号に基づいて高速チャネル状態情報（ＣＳＩ）フィードバックレポートを生成することと、ここにおいて、前記高速ＣＳＩフィードバックレポートを前記生成することは、
前記高速ＣＳＩフィードバックレポートのために標準的なＣＳＩフィードバックレポートのビット幅を低減することと、
前記高速ＣＳＩフィードバックレポート中に含めるために複数の利用可能なＣＳＩレポーティングタイプからＣＳＩレポーティングタイプのサブセットを選択することと、
前記高速ＣＳＩフィードバックレポート中に含めるために複数の利用可能なＣＳＩ処理からＣＳＩ処理のサブセットを選択することと、
前記高速ＣＳＩフィードバックレポートのために前記基準信号の測定のＣＳＩ測定処理を低減することと、
前記高速ＣＳＩフィードバックレポートのためにＣＳＩレポーティングの送信持続時間を低減することと
のうちの１つまたは複数を含む、
前記ＵＥが、前記サービング基地局に前記高速ＣＳＩフィードバックレポートを送信することと
を備える方法。
【請求項２】
前記検出することは、前記サービング基地局の送信フレームの第１のサブフレーム中で前記基準信号を検出することを含む、請求項１に記載の方法。
【請求項３】
前記基準信号は、前記サービング基地局からのチャネル使用ビーコン信号（ＣＵＢＳ：channel usage beacon signal）を含む、請求項１に記載の方法。
【請求項４】
前記基準信号に少なくとも部分的に基づいて非高速ＣＳＩフィードバックレポートを生成することと、
前記高速ＣＳＩフィードバックレポートから間隔を隔てた後に前記非高速ＣＳＩフィードバックレポートを送信することと
をさらに含む、請求項１に記載の方法。
【請求項５】
前記非高速ＣＳＩフィードバックレポートは、
標準的なＣＳＩフィードバックレポート、または
改良されたＣＳＩフィードバックレポート、ここにおいて、前記改良されたＣＳＩフィードバックレポートは、追加のチャネル情報または干渉情報のうちの１つに基づく、
のうちの１つを含む、請求項４に記載の方法。
【請求項６】
前記高速ＣＳＩフィードバックレポートは、前記基準信号が検出されるダウンリンクサブフレームの後のアップリンクサブフレーム中で送信される、請求項１に記載の方法。
【請求項７】
前記サービング基地局から高速ＣＳＩレポーティングインジケータを受信することをさらに含み、前記高速ＣＳＩレポーティングインジケータは、高速ＣＳＩレポーティングを有効にするか無効にするかを前記ＵＥに示す、請求項１に記載の方法。
【請求項８】
高速ＣＳＩレポーティングを無効にすることを示す前記高速ＣＳＩレポーティングインジケータを受信することに応答して、前記ＵＥは、前記高速ＣＳＩレポーティングインジケータが受信された後に生じる前記測定すること、前記生成すること、および前記送信することのうちの１つまたは複数をそれぞれ無効にする、請求項７に記載の方法。
【請求項９】
前記高速ＣＳＩフィードバックレポートを前記送信することは、
前記ＵＥが、複数のアップリンクキャリアのうちの最も早く利用可能なアップリンクキャリアを決定することと、
前記決定された最も早く利用可能なアップリンクキャリア上で前記高速ＣＳＩフィードバックレポートを送信することと
を含む、請求項１に記載の方法。
【請求項１０】
前記共有スペクトルは、認可されていないスペクトルである、請求項１に記載の方法。
【請求項１１】
ワイヤレス通信のための装置であって、
ユーザ機器（ＵＥ）が、複数のオペレータの間で共有することを可能にするスペクトルである共有スペクトルのキャリアにわたってサービング基地局からの基準信号を検出するための手段と、
前記ＵＥが、前記基準信号を測定するための手段と、
前記ＵＥが、前記測定された基準信号に基づいて高速チャネル状態情報（ＣＳＩ）フィードバックレポートを生成するための手段と、ここにおいて、前記高速ＣＳＩフィードバックレポートを前記生成するための手段は、
前記高速ＣＳＩフィードバックレポートのために標準的なＣＳＩフィードバックレポートのビット幅を低減するための手段と、
前記高速ＣＳＩフィードバックレポート中に含めるために複数の利用可能なＣＳＩレポーティングタイプからＣＳＩレポーティングタイプのサブセットを選択するための手段と、
前記高速ＣＳＩフィードバックレポート中に含めるために複数の利用可能なＣＳＩ処理からＣＳＩ処理のサブセットを選択するための手段と、
前記高速ＣＳＩフィードバックレポートのために前記基準信号の測定のＣＳＩ測定処理を低減するための手段と、
前記高速ＣＳＩフィードバックレポートのためにＣＳＩレポーティングの送信持続時間を低減するための手段と
のうちの１つまたは複数を含む、
前記ＵＥが、前記サービング基地局に前記高速ＣＳＩフィードバックレポートを送信するための手段と
を備える装置。
【請求項１２】
前記検出するための手段は、前記サービング基地局の送信フレームの第１のサブフレーム中で前記基準信号を検出するための手段を含む、請求項１１に記載の装置。
【請求項１３】
前記基準信号に少なくとも部分的に基づいて非高速ＣＳＩフィードバックレポートを生成するための手段と、
前記高速ＣＳＩフィードバックレポートから間隔を隔てた後に前記非高速ＣＳＩフィードバックレポートを送信するための手段と
をさらに含む、請求項１１に記載の装置。
【請求項１４】
前記非高速ＣＳＩフィードバックレポートは、
標準的なＣＳＩフィードバックレポート、または
改良されたＣＳＩフィードバックレポート、ここにおいて、前記改良されたＣＳＩフィードバックレポートは、追加のチャネル情報または干渉情報のうちの１つに基づく、
のうちの１つを含む、請求項１３に記載の装置。
【請求項１５】
前記高速ＣＳＩフィードバックレポートは、前記基準信号が検出されるダウンリンクサブフレームの後のアップリンクサブフレーム中で送信される、請求項１１に記載の装置。
【請求項１６】
前記高速ＣＳＩフィードバックレポートを前記送信するための手段は、
前記ＵＥが、複数のアップリンクキャリアのうちの最も早く利用可能なアップリンクキャリアを決定するための手段と、
前記決定された最も早く利用可能なアップリンクキャリア上で前記高速ＣＳＩフィードバックレポートを送信するための手段と
を含む、請求項１１に記載の装置。
【請求項１７】
前記共有スペクトルは、認可されていないスペクトルである、請求項１１に記載の装置。
【請求項１８】
記録されたプログラムコードを有する非一時的コンピュータ可読媒体であって、前記プログラムコードは、
コンピュータに、ユーザ機器（ＵＥ）によって、複数のオペレータの間で共有することを可能にするスペクトルである共有スペクトルのキャリアにわたってサービング基地局からの基準信号を検出させるためのプログラムコードと、
前記コンピュータに、前記ＵＥによって、前記基準信号を測定させるためのプログラムコードと、
前記コンピュータに、前記ＵＥによって、前記測定された基準信号に基づいて高速チャネル状態情報（ＣＳＩ）フィードバックレポートを生成させるためのプログラムコードと、ここにおいて、前記コンピュータに、前記高速ＣＳＩフィードバックレポートを生成させるための前記プログラムコードは、
前記コンピュータに、前記高速ＣＳＩフィードバックレポートのために標準的なＣＳＩフィードバックレポートのビット幅を低減させるためのプログラムコードと、
前記コンピュータに、前記高速ＣＳＩフィードバックレポート中に含めるために複数の利用可能なＣＳＩレポーティングタイプからＣＳＩレポーティングタイプのサブセットを選択させるためのプログラムコードと、
前記コンピュータに、前記高速ＣＳＩフィードバックレポート中に含めるために複数の利用可能なＣＳＩ処理からＣＳＩ処理のサブセットを選択させるためのプログラムコードと、
前記コンピュータに、前記高速ＣＳＩフィードバックレポートのために前記基準信号の測定のＣＳＩ測定処理を低減させるためのプログラムコードと、
前記コンピュータに、前記高速ＣＳＩフィードバックレポートのためにＣＳＩレポーティングの送信持続時間を低減させるためのプログラムコードと
のうちの１つまたは複数を含む、
前記コンピュータに、前記ＵＥによって、前記サービング基地局に前記高速ＣＳＩフィードバックレポートを送信させるためのプログラムコードと
を含む、非一時的コンピュータ可読媒体。
【請求項１９】
前記コンピュータに検出させるための前記プログラムコードは、前記コンピュータに、前記サービング基地局の送信フレームの第１のサブフレーム中で前記基準信号を検出させるためのプログラムコードを含む、請求項１８に記載の非一時的コンピュータ可読媒体。
【請求項２０】
前記高速ＣＳＩフィードバックレポートは、前記基準信号が検出されるダウンリンクサブフレームの後のアップリンクサブフレーム中で送信される、請求項１８に記載の非一時的コンピュータ可読媒体。
【請求項２１】
前記共有スペクトルは、認可されていないスペクトルである、請求項１８に記載の非一時的コンピュータ可読媒体。
【請求項２２】
ワイヤレス通信のために構成された装置であって、前記装置は、
少なくとも１つのプロセッサと、
前記少なくとも１つのプロセッサに結合されたメモリと、
を備え、
前記少なくとも１つのプロセッサは、
ユーザ機器（ＵＥ）が、複数のオペレータの間で共有することを可能にするスペクトルである共有スペクトルのキャリアにわたってサービング基地局からの基準信号を検出することと、
前記ＵＥが、前記基準信号を測定することと、
前記ＵＥが、前記測定された基準信号に基づいて高速チャネル状態情報（ＣＳＩ）フィードバックレポートを生成することと、ここにおいて、前記高速ＣＳＩフィードバックレポートを生成するための前記少なくとも１つのプロセッサの前記構成は、
前記高速ＣＳＩフィードバックレポートのために標準的なＣＳＩフィードバックレポートのビット幅を低減することと、
前記高速ＣＳＩフィードバックレポート中に含めるために複数の利用可能なＣＳＩレポーティングタイプからＣＳＩレポーティングタイプのサブセットを選択することと、
前記高速ＣＳＩフィードバックレポート中に含めるために複数の利用可能なＣＳＩ処理からＣＳＩ処理のサブセットを選択することと、
前記高速ＣＳＩフィードバックレポートのために前記基準信号の測定のＣＳＩ測定処理を低減することと、
前記高速ＣＳＩフィードバックレポートのためにＣＳＩレポーティングの送信持続時間を低減することと
のうちの１つまたは複数を行うための前記少なくとも１つのプロセッサの構成を含む、
前記ＵＥが、前記サービング基地局に前記高速ＣＳＩフィードバックレポートを送信することと
を行うように構成される、装置。
【請求項２３】
検出するための前記少なくとも１つのプロセッサの前記構成は、前記サービング基地局の送信フレームの第１のサブフレーム中で前記基準信号を検出するための構成を含む、請求項２２に記載の装置。
【請求項２４】
前記高速ＣＳＩフィードバックレポートは、前記基準信号が検出されるダウンリンクサブフレームの後のアップリンクサブフレーム中で送信される、請求項２２に記載の装置。
【請求項２５】
高速ＣＳＩレポーティングを無効にすることを示す高速ＣＳＩレポーティングインジケータを受信することに応答して、前記ＵＥは、前記高速ＣＳＩレポーティングインジケータが受信された後に生じる測定すること、生成すること、および送信することを行うための前記少なくとも１つのプロセッサの前記構成のうちの１つまたは複数をそれぞれ無効にする、請求項２４に記載の装置。
【請求項２６】
前記共有スペクトルは、認可されていないスペクトルである、請求項２２に記載の装置。
【発明の詳細な説明】
【関連出願の相互参照】
【０００１】
[0001]本出願は、２０１３年１２月１９日に出願された「CHANNEL AND INTERFERENCE MEASUREMENT IN LTE/LTE-A NETWORKS INCLUDING UNLICENSED SPECTRUM」と題された米国仮特許出願第６１／９１７,９９７号、および２０１４年１１月２４日に出願された「CHANNEL AND INTERFERENCE MEASUREMENT IN LTE/LTE-A NETWORKS INCLUDING UNLICENSED SPECTRUM」と題された米国特許出願第１４／５５１,９２７号の利益を主張し、これらは、その全体が本明細書に参照により明確に組み込まれる。
【技術分野】
【０００２】
[0002]本開示の態様は一般に、ワイヤレス通信システムに関し、より具体的には、認可されていないスペクトルを含むロングタームエボリューション（ＬＴＥ（登録商標））／ＬＴＥアドバンスト（ＬＴＥ−Ａ）ネットワーク中でのチャネルおよび干渉測定に関する。
【背景技術】
【０００３】
[0003]ワイヤレス通信ネットワークは、音声、映像、パケットデータ、メッセージング、ブロードキャスト、等のような様々な通信サービスを提供するために広く展開されている。これらのワイヤレスネットワークは、利用可能なネットワークリソースを共有することによって多数のユーザをサポートすることが可能である多元接続ネットワークでありうる。そのようなネットワークは、通常は多元接続ネットワークであり、利用可能なネットワークリソースを共有することによって多数のユーザのための通信をサポートする。そのようなネットワークの一例は、ユニバーサル地上無線アクセスネットワーク（ＵＴＲＡＮ）である。ＵＴＲＡＮは、第３世代パートナーシッププロジェクト（３ＧＰＰ（登録商標））によってサポートされる第３世代（３Ｇ）モバイル電話技術である、ユニバーサルモバイル電気通信システム（ＵＭＴＳ）の一部として定義された無線アクセスネットワーク（ＲＡＮ）である。多元接続ネットワークフォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]ワイヤレス通信ネットワークは、多くのユーザ機器（ＵＥ）のための通信をサポートすることができる多くの基地局またはノードＢを含みうる。ＵＥは、ダウンリンクおよびアップリンクを介して基地局と通信しうる。ダウンリンク（すなわち順方向リンク）は、基地局からＵＥへの通信リンクを指し、アップリンク（すなわち逆方向リンク）は、ＵＥから基地局への通信リンクを指す。
【０００５】
[0005]基地局は、ＵＥにダウンリンク上でデータおよび制御情報を送信し、および／または、ＵＥからアップリンク上でデータおよび制御情報を受信しうる。ダウンリンク上で、基地局からの送信は、近隣基地局からの、または他のワイヤレス無線周波数（ＲＦ）送信機からの送信に起因した干渉に遭遇しうる。アップリンク上で、ＵＥからの送信は、近隣基地局と通信している他のＵＥのアップリンク送信からの、または他のワイヤレスＲＦ送信機からの干渉に遭遇しうる。この干渉は、ダウンリンクおよびアップリンクの両方で性能を劣化させうる。
【０００６】
[0006]モバイルブロードバンドアクセスに対する需要が増加し続けるにつれて、より多くのＵＥが長距離ワイヤレス通信ネットワークにアクセスし、より多くの短距離ワイヤレスシステムがコミュニティ中で展開されるとともに干渉および輻輳（congested）ネットワークの可能性が高まる。モバイルブロードバンドアクセスに対する高まる需要を満たすためだけでなく、モバイル通信のユーザエクスペリエンスを進展および向上させるためにも、研究および開発はＵＭＴＳ技術を進展させ続けている。
【発明の概要】
【０００７】
[0007]本開示の一態様において、ワイヤレス通信の方法は、ＵＥが、認可されている（lisenced）および認可されていない（unlisenced）スペクトルを含みうる共有スペクトルのキャリアにわたってサービング基地局からの基準信号を検出することと、ＵＥが、基準信号を測定することと、ＵＥが、測定された基準信号に基づいて高速ＣＳＩフィードバックレポートを生成することと、ＵＥが、サービング基地局に高速ＣＳＩフィードバックレポートを送信することとを含む。
【０００８】
[0008]本開示の追加の態様において、ワイヤレス通信の方法は、基地局が、認可されているおよび認可されていないスペクトルを含みうる共有スペクトルのキャリアにわたって送信フレームの第１のサブフレーム中でＣＳＩ基準信号を送信することと、基地局において、ＣＳＩ基準信号に基づく高速ＣＳＩレポートを１つまたは複数のＵＥから受信することと、基地局が、送信フレーム内の後続サブフレーム中で追加の送信に高速ＣＳＩレポートを適用することとを含む。
【０００９】
[0009]本開示の追加の態様において、ワイヤレス通信ために構成された装置は、ＵＥが、認可されているおよび認可されていないスペクトルを含みうる共有スペクトルのキャリアにわたってサービング基地局からの基準信号を検出するための手段と、ＵＥが、基準信号を測定するための手段と、ＵＥが、測定された基準信号に基づいて高速ＣＳＩフィードバックレポートを生成するための手段と、ＵＥが、サービング基地局に高速ＣＳＩフィードバックレポートを送信するための手段とを含む。
【００１０】
[0010]本開示の追加の態様において、ワイヤレス通信のために構成された装置は、基地局が、認可されているおよび認可されていないスペクトルを含みうる共有スペクトルのキャリアにわたって送信フレームの第１のサブフレーム中でＣＳＩ基準信号を送信するための手段と、基地局において、ＣＳＩ基準信号に基づく高速ＣＳＩレポートを１つまたは複数のＵＥから受信するための手段と、基地局が、送信フレーム内の後続サブフレーム中で追加の送信に高速ＣＳＩレポートを適用するための手段とを含む。
【００１１】
[0011]本開示の追加の態様において、非一時的コンピュータ可読媒体は、記録されたプログラムコードを有する。このプログラムコードは、ＵＥが、認可されているおよび認可されていないスペクトルを含みうる共有スペクトルのキャリアにわたってサービング基地局からの基準信号を検出するためのコードと、ＵＥが、基準信号を測定するためのコードと、ＵＥが、測定された基準信号に基づいて高速ＣＳＩフィードバックレポートを生成するためのコードと、ＵＥが、サービング基地局に高速ＣＳＩフィードバックレポートを送信するためのコードとを含む。
【００１２】
[0012]本開示の追加の態様において、非一時的コンピュータ可読媒体は、記録されたプログラムコードを有する。このプログラムコードは、基地局が、認可されているおよび認可されていないスペクトルを含みうる共有スペクトルのキャリアにわたって送信フレームの第１のサブフレーム中でＣＳＩ基準信号を送信するためのコードと、基地局において、ＣＳＩ基準信号に基づく高速ＣＳＩレポートを１つまたは複数のＵＥから受信するためのコードと、基地局が、送信フレーム内の後続サブフレーム中で追加の送信に高速ＣＳＩレポートを適用するためのコードとを含む。
【００１３】
[0013]本開示の追加の態様において、装置は、少なくとも１つプロセッサと、プロセッサに結合されたメモリとを含む。プロセッサは、ＵＥが、認可されているおよび認可されていないスペクトルを含みうる共有スペクトルのキャリアにわたってサービング基地局からの基準信号を検出することと、ＵＥが、基準信号を測定することと、ＵＥが、測定された基準信号に基づいて高速ＣＳＩフィードバックレポートを生成することと、ＵＥが、サービング基地局に高速ＣＳＩフィードバックレポートを送信することとを行うように構成される。
【００１４】
[0014]本開示の追加の態様において、装置は、少なくとも１つプロセッサと、プロセッサに結合されたメモリとを含む。プロセッサは、基地局が、認可されているおよび認可されていないスペクトルを含みうる共有スペクトルのキャリアにわたって送信フレームの第１のサブフレーム中でＣＳＩ基準信号を送信することと、基地局において、ＣＳＩ基準信号に基づく高速ＣＳＩレポートを１つまたは複数のＵＥから受信することと、基地局が、送信フレーム内の後続サブフレーム中で追加の送信に高速ＣＳＩレポートを適用することとを行うように構成される。
【図面の簡単な説明】
【００１５】
【図１】様々な実施形態にしたがってワイヤレス通信システムの例を例示する図を示す。
【図２Ａ】様々な実施形態にしたがって認可されていないスペクトル中でＬＴＥを使用するための展開シナリオの例を例示する図を示す。
【図２Ｂ】様々な実施形態にしたがって認可されていないスペクトル中でＬＴＥを使用するための展開シナリオの別の例を例示する図を示す。
【図３】様々な実施形態にしたがって認可されているおよび認可されていないスペクトル中で同時にＬＴＥを使用する場合のキャリアアグリゲーションの例を例示する図を示す。
【図４】本開示の一態様にしたがって構成された基地局／ｅＮＢおよびＵＥの設計を概念的に例示するブロック図である。
【図５】認可されているおよび認可されていないスペクトルを含みうる共有スペクトルのキャリアにわたるダウンリンク送信ストリームを例示する。
【図６】本開示の一態様をインプリメントするために実行される実例的なブロックを例示する機能ブロック図である。
【図７】本開示の一態様をインプリメントするために実行される実例的なブロックを例示する機能ブロック図である。
【図８】本開示の一態様にしたがって構成された基地局からの認可されているおよび認可されていないスペクトルキャリアを含みうる共有スペクトルのキャリアにわたるダウンリンク送信ストリームを例示する。
【図９】基地局からの認可されているおよび認可されていないスペクトルを含みうる共有スペクトルのキャリアにわたるダウンリンク送信ストリームと、１つまたは複数のＵＥからの関連するアップリンク送信ストリームとを例示し、基地局と１つまたは複数のＵＥは、本開示の態様にしたがって構成される。
【図１０】基地局からの認可されているおよび認可されていないスペクトルを含みうる共有スペクトルのキャリアにわたるダウンリンク送信ストリームと、１つまたは複数のＵＥからの関連するアップリンク送信ストリームとを例示し、基地局と１つまたは複数のＵＥは、本開示の態様にしたがって構成される。
【図１１】基地局からの認可されているおよび認可されていないスペクトルを含みうる共有スペクトルのキャリアにわたるダウンリンク送信ストリームと、１つまたは複数のＵＥからの関連するアップリンク送信ストリームとを例示し、基地局と１つまたは複数のＵＥは、本開示の態様にしたがって構成される。
【図１２】基地局からの認可されているおよび認可されていないスペクトルを含みうる共有スペクトルのキャリアにわたるダウンリンク送信ストリームと、ＵＥからの関連するアップリンク送信ストリームとの一部を例示し、基地局およびＵＥは、本開示の一態様にしたがって構成される。
【図１３】本開示の一態様にしたがって構成された基地局からの認可されているおよび認可されていないスペクトルを含みうる共有スペクトルのキャリアにわたるダウンリンク送信ストリームを例示する。
【図１４】基地局からの認可されているおよび認可されていないスペクトルを含みうる共有スペクトルのキャリアにわたるダウンリンク送信ストリームと、ＵＥからの関連するアップリンク送信ストリームとの一部を例示し、基地局およびＵＥは、本開示の一態様にしたがって構成される。
【図１５Ａ】基地局からの認可されていないおよび認可されている周波数キャリアにわたるダウンリンク送信ストリームと、ＵＥからの関連するアップリンク送信ストリームとの一部を例示し、基地局およびＵＥは、本開示の一態様にしたがって構成される。
【図１５Ｂ】基地局からの認可されていないおよび認可されている周波数キャリアにわたるダウンリンク送信ストリームと、ＵＥからの関連するアップリンク送信ストリームとの一部を例示し、基地局およびＵＥは、本開示の一態様にしたがって構成される。
【詳細な説明】
【００１６】
[0028]添付された図面に関連して、以下に示される詳細な説明は、様々な構成の説明として意図されるものであり、本開示の範囲を限定するように意図されるものではない。むしろ、詳細な説明は、本発明の主題の完全な理解を提供することを目的とした特定の詳細を含む。これら特定の詳細が全てのケースで必要とされるわけではないこと、および、いくつかの事例において、良く知られた構造およびコンポーネントが提示の明確さのためにブロック図形式で示されることは、当業者には明らかであろう。
【００１７】
[0029]オペレータは、これまでのところ、ＷｉＦｉを、セルラネットワーク中における輻輳の増大し続けるレベルを軽減するために認可されていないスペクトルを使用するためのプライマリメカニズムと考えてきた。しかしながら、認可されていないスペクトルを含むＬＴＥ／ＬＴＥ−Ａに基づく新しいキャリアタイプ（ＮＣＴ）は、キャリアグレードのＷｉＦｉと互換性があり、認可されていないスペクトルを有するＬＴＥ／ＬＴＥ−ＡをＷｉＦｉの代替としうる。認可されていないスペクトルを有するＬＴＥ／ＬＴＥ−Ａは、ＬＴＥの概念を活用しうるものであり、認可されていないスペクトル中での効率的な動作を提供し、規制要件を満たすために、ネットワークまたはネットワークデバイスの物理レイヤ（ＰＨＹ）および媒体アクセス制御（ＭＡＣ）の態様に対していくつかの修正を導入しうる。認可されていないスペクトルは、例えば、６００メガヘルツ（ＭＨｚ）から６ギガヘルツ（ＧＨｚ）に及びうる。いくつかのシナリオにおいて、認可されていないスペクトルを有するＬＴＥ／ＬＴＥ−Ａは、ＷｉＦｉよりも著しく良好に機能しうる。例えば、全てのＷｉＦｉ展開と比較すると（単一または多数のオペレータのための）認可されていないスペクトル展開を有する全てのＬＴＥ／ＬＴＥ−Ａは、または密集した小さなセル展開が存在する場合、認可されていないスペクトルを有するＬＴＥ／ＬＴＥ−Ａは、ＷｉＦｉよりも著しく良好に機能しうる。認可されていないスペクトルを有するＬＴＥ／ＬＴＥ−Ａは、認可されていないスペクトルを有するＬＴＥ／ＬＴＥ−Ａが（単一または多数のオペレータのための）ＷｉＦｉと混合される場合のような他のシナリオにおいて、ＷｉＦｉよりもより良好に機能しうる。
【００１８】
[0030]単一のサービスプロバイダ（ＳＰ）の場合、認可されていないスペクトルを有するＬＴＥ／ＬＴＥ−Ａネットワークは、認可されているスペクトル上でＬＴＥネットワークと同期するように構成されうる。しかしながら、多数のＳＰによって特定のチャンネル上で展開された認可されていないスペクトルを有するＬＴＥ／ＬＴＥ−Ａネットワークは、多数のＳＰにわたって同期するように構成されうる。上記の特徴の両方を組み込むための１つのアプローチは、特定のＳＰのための、認可されていないスペクトルを有するＬＴＥ／ＬＴＥ−Ａネットワークと、認可されていないスペクトルを有さないＬＴＥ／ＬＴＥ−Ａネットワークとの間で一定のタイミングオフセットを使用することを伴いうる。認可されていないスペクトルを有するＬＴＥ／ＬＴＥ−Ａは、ＳＰの要求にしたがってユニキャストおよび／またはマルチキャストサービスを提供しうる。その上、認可されていないスペクトルを有するＬＴＥ／ＬＴＥ−Ａネットワークは、ＬＴＥセルがアンカーとして機能し、関連するセル情報（例えば、無線フレームタイミング、共通チャネル構成、システムフレーム番号すなわちＳＦＮ、等）を認可されていないスペクトルを有するＬＴＥ／ＬＴＥ−Ａセルに提供するブートストラップモードで動作しうる。このモードにおいて、認可されていないスペクトルを有さないＬＴＥ／ＬＴＥ−Ａと認可されているスペクトルを有するＬＴＥ／ＬＴＥ−Ａとの間で密接なインターワーキング（close interworking）が存在しうる。例えば、ブートストラップモードは、上述された補足的なダウンリンク（supplemental downlink）およびキャリアアグリゲーションモードをサポートしうる。認可されていないスペクトルを有するＬＴＥ／ＬＴＥ−ＡネットワークのＰＨＹ−ＭＡＣレイヤは、認可されていないスペクトルを有するＬＴＥ／ＬＴＥ−Ａネットワークが認可されていないスペクトルを有さないＬＴＥネットワークとは独立して動作するスタンドアロンモードで動作しうる。このケースにおいて、例えば、多数のセルおよび／または基地局にわたるマルチフロー、あるいは認可されていないスペクトルセルを有する／有さないコロケートされたＬＴＥ／ＬＴＥ−Ａを用いたＲＬＣレベルのアグリゲーションに基づいて、認可されていないスペクトルを有さないＬＴＥと、認可されていないスペクトルを有するＬＴＥ／ＬＴＥ−Ａとの間で緩いインターワーキング（loose interworking）が存在しうる。
【００１９】
[0031]本明細書で説明される技法は、ＬＴＥに限定されるものではなく、ＣＤＭＡ、ＴＤＭＡ、ＦＤＭＡ、ＯＦＤＭＡ、ＳＣ−ＦＤＭＡ、および他のシステムのような様々なワイヤレス通信システムに対しても使用されうる。「システム」および「ネットワーク」という用語は、交換可能に使用されることが多い。ＣＤＭＡシステムは、ＣＤＭＡ２０００、ユニバーサル地上無線アクセス（ＵＴＲＡ）、等のような無線技術をインプリメントしうる。ＣＤＭＡ２０００は、ＩＳ−２０００、ＩＳ−９５、およびＩＳ−８５６規格をカバーする。ＩＳ−２０００リリース０およびＡは一般に、ＣＤＭＡ２０００ １Ｘ、１Ｘ、等と呼ばれる。ＩＳ−８５６（ＴＩＡ−８５６）は一般に、ＣＤＭＡ２０００ １ｘＥＶ−ＤＯ、高レートパケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。ＴＤＭＡシステムは、移動体通信のためのグローバルシステム（ＧＳＭ（登録商標））のような無線技術をインプリメントしうる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等、のような無線技術をインプリメントしうる。ＵＴＲＡおよびＥ−ＵＴＲＡは、ユニバーサルモバイル電気通信システム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の団体からの文書中に説明されている。ＣＤＭＡ２０００およびＵＭＢは、「第３世代パートナーシッププロジェクト２」（３ＧＰＰ２）という名称の団体からの文書中に説明されている。本明細書で説明される技法は、上述されたシステムおよび無線技術ならびに他のシステムおよび無線技術に対して使用されうる。以下の説明は、しかしながら、実例を目的としてＬＴＥシステムを説明しており、ＬＴＥの専門用語が以下の説明の大部分において使用されているが、本技術はＬＴＥアプリケーションを超えて適用可能である。
【００２０】
[0032]このように、以下の説明は、例を提供するものであり、特許請求の範囲において説明される範囲、適用性、または構成を限定するものではない。本開示の精神および範囲から逸脱することなしに、論述される要素の機能および配置において変更がなされうる。様々な実施形態は、適宜、様々なプロシージャまたはコンポーネントを省略、代用、あるいは追加しうる。例えば、説明される方法が説明されるものとは異なる順序で遂行され、様々なステップが追加、省略、または組み合わされることがありうる。また、ある特定の実施形態に関して説明される特徴は、他の実施形態において組み合されうる。
【００２１】
[0033]まず図１を参照すると、図は、ワイヤレス通信システムの例、すなわちネットワーク１００を例示している。システム１００は、基地局（またはセル）１０５、通信デバイス１１５、およびコアネットワーク１３０を含む。基地局１０５は、（示されていない）基地局コントローラの制御下で通信デバイス１１５と通信し、それは、様々な実施形態においてコアネットワーク１３０または基地局１０５の一部でありうる。基地局１０５は、バックホールリンク１３２を通じてコアネットワーク１３０と制御情報および／またはユーザデータを通信しうる。実施形態において、基地局１０５は、直接的にまたは間接的にバックホールリンク１３４上で互いに通信し、バックホールリンク１３４は、ワイヤードまたはワイヤレス通信リンクでありうる。システム１００は、多数のキャリア（異なる周波数の波形信号）上での動作をサポートしうる。マルチキャリア送信機は、多数のキャリア上で変調された信号を同時に送信することができる。例えば、各通信リンク１２５は、上述された様々な無線技術にしたがって変調されたマルチキャリア信号でありうる。各変調された信号は、異なるキャリア上で送られ、制御情報（例えば、基準信号、制御チャネル、等）、オーバヘッド情報、データ、等を搬送しうる。
【００２２】
[0034]基地局１０５は、１つまたは複数の基地局アンテナを介してデバイス１１５とワイヤレスで通信しうる。基地局１０５のサイトの各々は、それぞれの地理的エリア１１０に通信カバレッジを提供しうる。いくつかの実施形態において、基地局１０５は、ベーストランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の適切な用語で呼ばれうる。基地局に対するカバレッジエリア１１０は、（示されていない）カバレッジエリアの一部のみを構成するセクタに分割されうる。システム１００は、異なるタイプの基地局１０５（例えば、マクロ、マイクロ、および／またはピコ基地局）を含みうる。異なる技術のために重複するカバレッジエリアが存在しうる。
【００２３】
[0035]いくつかの実施形態において、システム１００は、１つまたは複数の認可されていないスペクトルの動作モードまたは展開シナリオをサポートするＬＴＥ／ＬＴＥ−Ａネットワークである。他の実施形態において、システム１００は、認可されていないスペクトルを有するＬＴＥ／ＬＴＥ−Ａとは異なるアクセス技術および認可されていないスペクトル、またはＬＴＥ／ＬＴＥ−Ａとは異なるアクセス技術および認可されているスペクトルを使用するワイヤレス通信をサポートしうる。発展型ノードＢ（ｅＮＢ）およびユーザ機器（ＵＥ）という用語は一般に、基地局１０５およびデバイス１１５をそれぞれ説明するために使用されうる。システム１００は、異なるタイプのｅＮＢが様々な地理的領域にカバレッジを提供する認可されていないスペクトルを有するまたは有さない異種ＬＴＥ／ＬＴＥ−Ａネットワークでありうる。例えば、各ｅＮＢ１０５は、マクロセル、ピコセル、フェムトセル、および／または他のタイプのセルに通信カバレッジを提供しうる。ピコセル、フェムトセルのような小さなセル、および／または他のタイプのセルは、低電力ノードすなわちＬＰＮを含みうる。マクロセルは一般に、比較的大きい地理的エリア（例えば、半径数キロメートル）をカバーし、ネットワークプロバイダとの、サービスに加入しているＵＥによる無制限のアクセスを可能にしうる。ピコセルは一般に、比較的より小さい地理的エリアをカバーし、ネットワークプロバイダとの、サービスに加入しているＵＥによる無制限のアクセスを可能にしうる。フェムトセルもまた一般に、比較的小さい地理的エリア（例えば、家）をカバーし、無制限のアクセスに加えて、フェムトセルとの関連付けを有するＵＥ（例えば、クローズド加入者グループ（ＣＳＧ）中のＵＥ、家の中にいるユーザのためのＵＥ、等）による制限されたアクセスも提供しうる。マクロセルに対するｅＮＢは、マクロｅＮＢと呼ばれうる。ピコセルに対するｅＮＢは、ピコｅＮＢと呼ばれうる。そして、フェムトセルに対するｅＮＢは、フェムトｅＮＢまたはホームｅＮＢと呼ばれうる。ｅＮＢは、１つまたは多数（例えば、２つ、３つ、４つ、等）のセルをサポートしうる。
【００２４】
[0036]コアネットワーク１３０は、バックホール１３２（例えば、Ｓ１、等）を介してｅＮＢ１０５と通信しうる。ｅＮＢ１０５はまた、例えば、バックホールリンク１３４（例えば、Ｘ２、等）を介しておよび／またはバックホールリンク１３２を介して（例えば、コアネットワーク１３０を通じて）、直接的または間接的に互いに通信しうる。システム１００は、同期または非同期動作をサポートしうる。同期動作の場合、ｅＮＢは、同様のフレームおよび／またはゲーティングタイミングを有し、異なるｅＮＢからの送信は、時間的に近似的に調整されうる。非同期動作の場合、ｅＮＢは、異なるフレームおよび／またはゲーティングタイミングを有し、異なるｅＮＢからの送信は、時間的に調整されないことがありうる。本明細書で説明される技法は、同期動作に対して使用されてもよく、非同期動作に対して使用されてもよい。
【００２５】
[0037]ＵＥ１１５は、システム１００全体にわたって分散されており、各ＵＥは、固定式または移動式でありうる。ＵＥ１１５はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語で呼ばれうる。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、等でありうる。ＵＥは、マクロｅＮＢ、ピコｅＮＢ、フェムトｅＮＢ、リレー、等と通信することが可能でありうる。
【００２６】
[0038]システム１００中に示される通信リンク１２５は、モバイルデバイス１１５から基地局１０５へのアップリンク（ＵＬ）送信、および／または基地局１０５からモバイルデバイス１１５へのダウンリンク（ＤＬ）送信を含みうる。ダウンリンク送信はまた、順方向リンク送信と呼ばれ、その一方でアップリンク送信はまた、逆方向リンク送信と呼ばれうる。ダウンリンク送信は、認可されているスペクトル（例えば、ＬＴＥ）、認可されていないスペクトル（例えば、認可されていないスペクトルを有するＬＴＥ／ＬＴＥ−Ａ）、または両方（認可されていないスペクトルを有する／有さないＬＴＥ／ＬＴＥ−Ａ）を使用して行われうる。同様に、アップリンク送信は、認可されているスペクトル（例えば、ＬＴＥ）、認可されていないスペクトル（例えば、認可されていないスペクトルを有するＬＴＥ／ＬＴＥ−Ａ）、または両方（認可されていないスペクトルを有する／有さないＬＴＥ／ＬＴＥ−Ａ）を使用して行われうる。
【００２７】
[0039]システム１００のいくつかの実施形態において、認可されているスペクトル中のＬＴＥダウンリンク容量が認可されていないスペクトルにオフロードされ（offloaded）うる補足的なダウンリンク（ＳＤＬ）モード、ＬＴＥダウンリンクおよびアップリンク容量の両方が認可されているスペクトルから認可されていないスペクトルにオフロードされうるキャリアアグリゲーションモード、および基地局（例えば、ｅＮＢ）とＵＥとの間でのＬＴＥダウンリンクおよびアップリンク通信が認可されていないスペクトル中で行われうるスタンドアロンモードを含む、認可されていないスペクトルを有するＬＴＥ／ＬＴＥ−Ａについての様々な展開シナリオがサポートされうる。基地局１０５ならびにＵＥ１１５は、これらまたは同様の動作モードのうちの１つまたは複数をサポートしうる。ＯＦＤＭＡ通信信号は、認可されていないスペクトル中でのＬＴＥダウンリンク送信のために通信リンク１２５中で使用され、その一方でＳＣ−ＦＤＭＡ通信信号は、認可されていないスペクトル中でのＬＴＥアップリンク送信のために通信リンク１２５中で使用されうる。システム１００のようなシステム中における認可されていないスペクトルの展開シナリオまたは動作モードを有するＬＴＥ／ＬＴＥ−Ａのインプリメンテーションに関する追加の詳細、ならびに認可されていないスペクトルを有するＬＴＥ／ＬＴＥ−Ａの動作に関する他の特徴および機能が、図２Ａから図１５Ｂに関連して以下に提供される。
【００２８】
[0040]次に図２Ａを参照すると、図２００は、認可されていないスペクトルを有するＬＴＥ／ＬＴＥ−ＡをサポートするＬＴＥネットワークのための補足的なダウンリンクモードおよびキャリアアグリゲーションモードの例を示している。図２００は、図１のシステム１００の一部の例でありうる。その上、基地局１０５−ａは、図１の基地局１０５の例であり、その一方でＵＥ１１５−ａは、図１のＵＥ１１５の例でありうる。
【００２９】
[0041]図２００中の補足的なダウンリンクモードの例において、基地局１０５−ａは、ダウンリンク２０５を使用してＵＥ１１５−ａにＯＦＤＭＡ通信信号を送信しうる。ダウンリンク２０５は、認可されていないスペクトル中の周波数Ｆ１に関連付けられている。基地局１０５−ａは、双方向リンク２１０を使用して同じＵＥ１１５−ａにＯＦＤＭＡ通信信号を送信し、双方向リンク２１０を使用してＵＥ１１５−ａからＳＣ−ＦＤＭＡ通信信号を受信しうる。双方向リンク２１０は、認可されているスペクトル中の周波数Ｆ４に関連付けられている。認可されていないスペクトル中のダウンリンク２０５および認可されているスペクトル中の双方向リンク２１０は、同時に動作しうる。ダウンリンク２０５は、基地局１０５−ａにダウンリンク容量オフロードを提供しうる。いくつかの実施形態において、ダウンリンク２０５は、（例えば、１つのＵＥに宛てられる）ユニキャストサービスのために、または（例えば、いくつかのＵＥに宛てられる）マルチキャストサービスのために使用されうる。このシナリオは、認可されているスペクトルを使用し、トラフィックおよび／またはシグナリング輻輳のうちのいくらかを軽減する必要がある任意のサービスプロバイダ（例えば、従来のモバイルネットワークオペレータすなわちＭＮＯ）とともに生じうる。
【００３０】
[0042]図２００中のキャリアアグリゲーションモードの一例において、基地局１０５−ａは、双方向リンク２１５を使用してＵＥ１１５−ａにＯＦＤＭＡ通信信号を送信し、双方向リンク２１５を使用して同じＵＥ１１５−ａからＳＣ−ＦＤＭＡ通信信号を受信しうる。双方向リンク２１５は、認可されていないスペクトル中の周波数Ｆ１に関連付けられている。基地局１０５−ａはまた、双方向リンク２２０を使用して同じＵＥ１１５−ａにＯＦＤＭＡ通信信号を送信し、双方向リンク２２０を使用して同じＵＥ１１５−ａからＳＣ−ＦＤＭＡ通信信号を受信しうる。双方向リンク２２０は、認可されているスペクトル中の周波数Ｆ２に関連付けられている。双方向リンク２１５は、基地局１０５−ａにダウンリンクおよびアップリンク容量オフロードを提供しうる。上述された補足的なダウンリンクのように、このシナリオは、認可されているスペクトルを使用し、トラフィックおよび／またはシグナリング輻輳のうちのいくらかを軽減する必要がある任意のサービスプロバイダ（例えば、ＭＮＯ）とともに生じうる。
【００３１】
[0043]図２００中のキャリアアグリゲーションモードの別の例において、基地局１０５−ａは、双方向リンク２２５を使用してＵＥ１１５−ａにＯＦＤＭＡ通信信号を送信し、双方向リンク２２５を使用して同じＵＥ１１５−ａからＳＣ−ＦＤＭＡ通信信号を受信しうる。双方向リンク２２５は、認可されていないスペクトル中の周波数Ｆ３に関連付けられている。基地局１０５−ａはまた、双方向リンク２３０を使用して同じＵＥ１１５−ａにＯＦＤＭＡ通信信号を送信し、双方向リンク２３０を使用して同じＵＥ１１５−ａからＳＣ−ＦＤＭＡ通信信号を受信しうる。双方向リンク２３０は、認可されているスペクトル中の周波数Ｆ２に関連付けられている。双方向リンク２２５は、基地局１０５−ａにダウンリンクおよびアップリンク容量オフロードを提供しうる。この例および上記で提供されたものは、例示的な目的のために提示されたものであり、容量オフロードのために認可されていないスペクトルを有するまたは有さないＬＴＥ／ＬＴＥ−Ａを組み合わせる他の同様の動作モードまたは展開シナリオが存在しうる。
【００３２】
[0044]上述されたように、認可されていないスペクトルを有するＬＴＥ／ＬＴＥ−Ａを使用することによって提供される容量オフロードから利益を得ることができる典型的なサービスプロバイダは、ＬＴＥスペクトルを用いる従来のＭＮＯである。これらのサービスプロバイダの場合、動作構成は、認可されているスペクトル上でＬＴＥプライマリコンポーネントキャリア（ＰＣＣ）を、および認可されていないスペクトル上でＬＴＥセカンダリコンポーネントキャリア（ＳＣＣ）を使用するブートストラップモード（例えば、補足的なダウンリンク、キャリアアグリゲーション）を含みうる。
【００３３】
[0045]補足的なダウンリンクモードにおいて、認可されていないスペクトルを有するＬＴＥ／ＬＴＥ−Ａに対する制御は、ＬＴＥアップリンク（例えば、双方向リンク２１０のアップリンク部分）でトランスポートされうる。ダウンリンク容量オフロードを提供する理由のうちの１つは、データ需要がダウンリンク消費によって大きくかき立てられるからである。その上、このモードにおいては、ＵＥが認可されていないスペクトル中で送信していないことから規制影響が存在しないことがありうる。ＵＥ上でリッスンビフォアトーク（ＬＢＴ）またはキャリア感知多元接続（ＣＳＭＡ：carrier sense multiple access）要件をインプリメントする必要はない。しかしながら、ＬＢＴは、例えば、無線フレーム境界に対して調整されたグラブアンドリリンクウィッシュメカニズム（grab-and-relinquish mechanism）および／または周期的な（例えば、１０ミリ秒ごとの）クリアチャネル評価（ＣＣＡ：clear channel assessment）を使用することによって、基地局（例えば、ｅＮＢ）上でインプリメントされうる。
【００３４】
[0046]キャリアアグリゲーションモードにおいて、データおよび制御は、ＬＴＥ（例えば、双方向リンク２１０、２２０、および２３０）中で通信されることができ、その一方で、データは、認可されていないスペクトルを有するＬＴＥ／ＬＴＥ−Ａ（例えば、双方向リンク２１５および２２５）中で通信されることができる。認可されていないスペクトルを有するＬＴＥ／ＬＴＥ−Ａを使用する場合にサポートされるキャリアアグリゲーションメカニズムは、コンポーネントキャリアにわたって異なる対称性を有するＴＤＤ−ＴＤＤキャリアアグリゲーションまたはハイブリッド周波数分割複信−時分割複信（ＦＤＤ−ＴＤＤ）キャリアアグリゲーションに該当しうる。
【００３５】
[0047]図２Ｂは、認可されていないスペクトルを有するＬＴＥ／ＬＴＥ−Ａのためのスタンドアロンモードの例を例示する図２００−ａを示す。図２００−ａは、図１のシステム１００の一部の例でありうる。その上、基地局１０５−ｂは、図１の基地局１０５および図２Ａの基地局１０５−ａの例であり、その一方でＵＥ１１５−ｂは、図１のＵＥ１１５および図２ＡのＵＥ１１５−ａの例でありうる。
【００３６】
[0048]図２００−ａ中のスタンドアロンモードの例において、基地局１０５−ｂは、双方向リンク２４０を使用してＵＥ１１５−ｂにＯＦＤＭＡ通信信号を送信し、双方向リンク２４０を使用してＵＥ１１５−ｂからＳＣ−ＦＤＭＡ通信信号を受信しうる。双方向リンク２４０は、図２Ａに関連して上述された認可されていないスペクトル中の周波数Ｆ３に関連付けられている。スタンドアロンモードは、スタジアム中でのアクセス（例えば、ユニキャスト、マルチキャスト）のような、非従来的なワイヤレスアクセスシナリオ中で使用されうる。この動作モードについての典型的なサービスプロバイダは、認可されているスペクトルを有していない、スタジアムの所有者、ケーブル会社、イベントの主催者、ホテル、エンタープライズ、および大企業でありうる。これらのサービスプロバイダの場合、スタンドアロンモードについての動作構成は、認可されていないスペクトル上でＰＣＣを使用しうる。その上、ＬＢＴは、基地局およびＵＥの両方でインプリメントされうる。
【００３７】
[0049]次に図３を参照すると、図３００は、様々な実施形態にしたがって認可されているおよび認可されていないスペクトル中で同時にＬＴＥを使用する場合のキャリアアグリゲーションの例を例示している。図３００中のキャリアアグリゲーションスキームは、図２Ａに関連して上述されたハイブリッドＦＤＤ−ＴＤＤキャリアアグリゲーションに対応しうる。このタイプのキャリアアグリゲーションは、図１のシステム１００の少なくとも一部において使用されうる。その上、このタイプのキャリアアグリゲーションは、それぞれ、図１および図２Ａの基地局１０５および１０５−ａ中で、および／または、それぞれ、図１および図２ＡのＵＥ１１５および１１５−ａ中で使用されうる。
【００３８】
[0050]この例において、ＦＤＤ（ＦＤＤ−ＬＴＥ）は、ダウンリンク中のＬＴＥに関連して遂行され、第１のＴＤＤ（ＴＤＤ１）は、認可されていないスペクトルを含むＬＴＥ／ＬＴＥ−Ａに関連して遂行され、第２のＴＤＤ（ＴＤＤ２）は、認可されているスペクトルを有するＬＴＥに関連して遂行され、別のＦＤＤ（ＦＤＤ−ＬＴＥ）は、認可されているスペクトルを有するアップリンク中のＬＴＥに関連して遂行されうる。ＴＤＤ１は、６：４のＤＬ：ＵＬ比をもたらし、その一方でＴＤＤ２に関する比は、７：３である。時間スケール上では、異なる有効ＤＬ：ＵＬ比は、３：１、１：３、２：２、３：１、２：２、および３：１である。この例は、例示的な目的のために提示されるものであり、認可されていないスペクトルを有するまたは有さないＬＴＥ／ＬＴＥ−Ａの動作を組み合わせる他のキャリアアグリゲーションスキームが存在しうる。
【００３９】
[0051]図４は、基地局／ｅＮＢ１０５およびＵＥ１１５の設計のブロック図を示し、それらは、図１中の基地局／ｅＮＢのうちの１つおよびＵＥのうちの１つでありうる。ｅＮＢ１０５は、アンテナ４３４ａ〜４３４ｔを搭載し、ＵＥ１１５は、アンテナ４５２ａ〜４５２ｒを搭載しうる。ｅＮＢ１０５では、送信プロセッサ４２０は、データソース４１２からデータを、コントローラ／プロセッサ４４０から制御情報を受信しうる。制御情報は、物理ブロードキャストチャネル（ＰＢＣＨ）、物理制御フォーマットインジケータチャネル（ＰＣＦＩＣＨ）、物理ハイブリッド自動再送要求インジケータチャネル（ＰＨＩＣＨ）、物理ダウンリンク制御チャネル（ＰＤＣＣＨ）、等のためのものでありうる。データは、物理ダウンリンク共有チャネル（ＰＤＳＣＨ）、等のためのものでありうる。送信プロセッサ４２０は、データシンボルおよび制御シンボルを取得するために、データおよび制御情報をそれぞれ処理（例えば、符号化およびシンボルマッピング）しうる。送信プロセッサ４２０はまた、例えば、プライマリ同期信号（ＰＳＳ）、セカンダリ同期信号（ＳＳＳ）、およびセル固有の基準信号のための基準シンボルを生成しうる。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を遂行し、変調器（ＭＯＤ）４３２ａ〜４３２ｔに出力シンボルストリームを提供しうる。各変調器４３２は、出力サンプルストリームを取得するために（例えば、ＯＦＤＭ、等のための）それぞれの出力シンボルストリームを処理しうる。各変調器４３２はさらに、ダウンリンク信号を取得するために、出力サンプルストリームを処理（例えば、アナログに変換、増幅、フィルタリング、およびアップコンバート）しうる。変調器４３２ａ〜４３２ｔからのダウンリンク信号は、それぞれ、アンテナ４３４ａ〜４３４ｔを介して送信されうる。
【００４０】
[0052]ＵＥ１１５では、アンテナ４５２ａ〜４５２ｒは、ｅＮＢ１０５からダウンリンク信号を受信し、それぞれ、受信信号を復調器（ＤＥＭＯＤ）４５４ａ〜４５４ｒに提供しうる。各復調器４５４は、入力サンプルを取得するために、それぞれの受信された信号を調整（例えば、フィルタリング、増幅、ダウンコンバート、およびデジタル化）しうる。各復調器４５４はさらに、受信されたシンボルを取得するために、（例えば、ＯＦＤＭ、等のための）入力サンプルを処理しうる。ＭＩＭＯ検出器４５６は、全ての復調器４５４ａ〜４５４ｒから、受信されたシンボルを取得し、適用可能な場合には受信されたシンボルに対してＭＩＭＯ検出を遂行し、検出されたシンボルを提供しうる。受信プロセッサ４５８は、検出されたシンボルを処理（例えば、復調、デインタリーブ、および復号）し、ＵＥ１１５のための復号されたデータをデータシンク４６０に提供し、復号された制御情報をコントローラ／プロセッサ４８０に提供しうる。
【００４１】
[0053]アップリンク上において、ＵＥ１１５では、送信プロセッサ４６４は、データソース４６２から（例えば、物理アップリンク共有チャネル（ＰＵＳＣＨ）のための）データと、コントローラ／プロセッサ４８０から（例えば、物理アップリンク制御チャネル（ＰＵＣＣＨ）のための）制御情報とを受信および処理しうる。送信プロセッサ４６４はまた、基準信号のための基準シンボルを生成しうる。送信プロセッサ４６４からのシンボルは、適用可能な場合にはＴＸ ＭＩＭＯプロセッサ４６６によってプリコーディングされ、さらに（例えば、ＳＣ−ＦＤＭ、等のために）復調器４５４ａ〜４５４ｒによって処理され、ｅＮＢ１０５に送信されうる。ｅＮＢ１０５では、ＵＥ１１５からのアップリンク信号は、ＵＥ１１５によって送られた復号されたデータおよび制御情報を取得するために、アンテナ４３４によって受信され、変調器４３２によって処理され、適用可能な場合にはＭＩＭＯ検出器４３６によって検出され、受信プロセッサ４３８によってさらに処理されうる。プロセッサ４３８は、復号されたデータをデータシンク４３９に、復号された制御情報をコントローラ／プロセッサ４４０に提供しうる。
【００４２】
[0054]コントローラ／プロセッサ４４０および４８０は、それぞれ、ｅＮＢ１０５およびＵＥ１１５における動作を指示しうる。ｅＮＢ１０５におけるコントローラ／プロセッサ４４０および／または他のプロセッサおよびモジュールは、本明細書で説明される技法のための様々な処理の実行を遂行または指示しうる。ＵＥ１１５におけるコントローラ／プロセッサ４８０および／または他のプロセッサおよびモジュールはまた、図６および７中に例示されている機能ブロックおよび／または本明細書で説明される技法のための他の処理の実行を遂行または指示しうる。メモリ４４２および４８２は、それぞれ、ｅＮＢ１０５およびＵＥ１１５のためのデータおよびプログラムコードを記憶しうる。スケジューラ４４４は、ダウンリンクおよび／またはアップリンク上でのデータ送信のためにＵＥをスケジューリングしうる。
【００４３】
[0055]認可されていないスペクトルを含むＬＴＥ／ＬＴＥ−Ａにおいて、リッスンビフォアトーク（ＬＢＴ）処理は、送信を開始する前にノードによって使用される。図５は、認可されているおよび認可されていないスペクトルを含みうる共有スペクトルのキャリアにわたるダウンリンク送信ストリーム５０を例示する。多数のＣＣＡ（クリアチャネル評価）機会５０１−５０３が利用可能であり、それらは、異なるオペレータ／セルによって共有されることができる。ｅＮＢおよびＵＥは、ＤＬおよびＵＬ ＣＣＡに関して別個にＣＣＡを遂行しうる。
【００４４】
[0056]ノードはまた、ＣＣＡ免除送信（ＣＥＴ：CCA exempt transmission）を有しうる。ＣＣＡは一般に、いくつかの規制要件の対象となる自律的な送信にとって必要ではない。ＣＥＴは、サブフレームのほんの一部の持続時間で、定期的に、例えば、８０ｍｓごとに、起こりうる。ＣＥＴはまた、ＤＬおよびＵＬ送信の両方のために存在しうる。ＣＥＴは、グループ電力制御、等のような、重要なシステム情報および他の情報を搬送しうる。
【００４５】
[0057]ＣＣＡが除去されたフレーム（CCA cleared frame）の各々において、認可されていないスペクトルを含むＬＴＥ／ＬＴＥ−Ａを動作するノードによってスケジュールされたＤＬサブフレームの数は、利用可能なＤＬサブフレームの数と常に同じではないことがありうる。例えば、いくつかのノードは、制限されたＤＬバッファを有し、その一方で他のノードは、干渉管理に起因して同じ数の利用可能なＤＬサブフレームを有さないことがありうる。そのような実例的なシナリオにおいて、ＣＣＡが除去されたフレーム中では、認可されていないスペクトルノードを含むＬＴＥ／ＬＴＥ−Ａは、第１の３つのＤＬサブフレーム中でのＤＬ送信のみをスケジュールしうる。
【００４６】
[0058]ＵＥが適切にＬＴＥシステム中でＣＳＩフィードバックを生成および／または信号を復調するために、ＵＥは、干渉測定を遂行する。干渉測定は通常、共通基準信号（ＣＲＳ）または干渉測定リソース（ＩＭＲ）のいずれかに関して行われる。特に、ＩＭＲは、ゼロ電力（ＺＰ）ＣＳＩ−ＲＳ構成に基づく。ＩＭＲは一般に、物理リソースブロック（ＰＲＢ）ペアごとに４つのリソース要素（ＲＥ）のために周期的な方式でＲＲＣシグナリングを通じて構成される。ＣＳＩ−ＲＳ処理はまた、非ゼロ電力（ＮＺＰ）ＣＳＩ−ＲＳ構成およびＩＭＲに関連付けられうる。ＵＥは、このように、ＮＺＰ ＣＳＩ−ＲＳに基づいてチャネルを測定し、ＩＭＲに基づいて干渉を測定する。これらの２つの測定に基づいて、ＵＥは次に、対応するチャネル状態情報フィードバックを提供しうる。
【００４７】
[0059]認可されていないスペクトルを含むＬＴＥ／ＬＴＥ−Ａネットワークは、参加しているＵＥによって認識されうる典型的な干渉に変形をもたらす。認可されていないスペクトルにわたって送信が保証されないことから、ＣＣＡ処理が特定のＬＢＴフレームをクリアしたか否かに依存して異なるソースからの異なる干渉が認識されうる。ＣＣＡが除去されない場合のフレームにおいて、フレーム中でＵＥによって認識されるＤＬ干渉は、他のオペレータ、ＷｉＦｉ隠れノード、または同じオペレータの異なるセルでさえもが発生源となりうる。ＷｉＦｉ隠れノードは、固定されたロケーションに存在せず、常にＷｉＦｉアクセスポイントとして利用可能であるＷｉＦｉプロトコルにわたって送信するノードと見なされうる。例えば、常にオンではない固定式ＷｉＦｉノードは、起動されている場合にＷｉＦｉ干渉を提供する隠れノードと見なされうる。加えて、ＷｉＦｉ送信能力を有するモバイルホットスポットまたはＵＥを含むことができるモバイルＷｉＦｉモードは、ＷｉＦｉ送信干渉を提供している場合に隠れノードと見なされかねない。そのようなＷｉＦｉノードは一般に、アドホック方式で送信するものであり、よって、必ずしも知られた通常の干渉のソースとはならないであろう。
【００４８】
[0060]ＣＣＡが除去された場合のフレームにおいて、フレーム中でＵＥによって認識されるＤＬ干渉は、他のオペレータの隠れノード、ＷｉＦｉ隠れノード、または同じオペレータの異なるセルに源を発しうる。サービングｅＮＢのＣＵＢＳ送信が（例えば、何らかのしきい値を下回る測定されたエネルギーまたは距離に起因して）他のオペレータからのｅＮＢの送信をブロックできない事例において、他のオペレータの隠れノードが生じうるが、サービングされたＵＥは、他のオペレータのそれらの近隣ｅＮＢからの強い干渉を経験する。除去されたＣＣＡのいくつかの事例において、ｅＮＢは、送信するためのデータをバッファ中に有さないことがありうる。そのようなケースにおいて、ｅＮＢは、ＣＣＡが除去されたフレーム中で全く送信しないことを選ぶか、またはＣＵＢＳを送信することによってフレームを保持することを選ぶかのいずれかでありうる。ｅＮＢがＬＢＴフレーム中で送信するデータを有さず、ＣＵＢＳを送信することを選ぶ場合、ＵＥは、他のオペレータの隠れノード、ＷｉＦｉ隠れノード、および同じオペレータの異なるセルからのＤＬ干渉を認識しうる。しかしながら、ｅＮＢが全く送信しないことを選ぶ場合（または、ｅＮＢがＣＣＡを遂行しないことまでも選ぶ場合）、ＵＥは、他のオペレータ、ＷｉＦｉからの隠れノード、および同じオペレータの異なるセルからのＤＬ干渉を認識しうる。
【００４９】
[0061]認可されていないスペクトルを含むＬＴＥ／ＬＴＥ−Ａネットワーク中の送信が保証されず、特定の送信機においてどれだけのデータが送信のためにバッファされるのかに基づき送信機ごとに異なりうることから、チャネル状態情報（ＣＳＩ：channel state information）フィードバックのためにより高速のターンアラウンドを有することが有益でありうる。本開示の様々な態様は、測定およびレポーティング時間における削減を通じてＣＳＩフィードバック遅延を削減することを提供する。
【００５０】
[0062]現在のＬＴＥ／ＬＴＥ−Ａネットワークにおいて、ＣＳＩフィードバック遅延は、測定遅延およびレポーティング遅延を含む。ＵＥがレポートする準備ができるまでＵＥがチャネルを測定している間の時間である測定遅延は、少なくともＬＴＥ／ＬＴＥ−Ａネットワーク中で４ｍｓである。より多数のＣＳＩ処理および／または時分割複信（ＴＤＤ）システムの場合、ＮＺＰ ＣＳＩ−ＲＳおよび／またはＣＳＩ−ＩＭ構成、等に依存して、測定遅延は、４ｍｓよりも一層大きくなりかねない。レポーティング遅延は、特定のＣＳＩレポーティングが周期的または非周期的であるかどうかに依存している。その上、周期的なＣＳＩ−ＲＳレポーティングでは、レポーティング遅延はまた、レポーティングに割り当てられた周期性に依存するであろう。
【００５１】
[0063]認可されていないスペクトルを含むＬＴＥ／ＬＴＥ−Ａネットワークの予測不可能な変形とともに使用する場合、４ｍｓの測定遅延は、一貫して有用であるためには大きすぎることがありうる。４ｍｓの遅延では、１つのフレーム中での測定に基づくＣＳＩのレポーティングは、フレーム中のサブフレームのほとんどにおいて使用されることができない。ＵＬ送信が（ＣＥＴサブフレーム中でない限り）後続フレーム中で保証されないことから、より一層長いＣＳＩフィードバック遅延が経験されうる。それ故に、認可されていないスペクトルを含むＬＴＥ／ＬＴＥ−Ａネットワークに関して同じサブフレーム中でＣＳＩフィードバック関連動作を終える強い動機が存在する。
【００５２】
[0064]図６は、ＵＥからの本開示の一態様をインプリメントするために実行される実例的なブロックを例示する機能ブロック図である。ブロック６００では、ＵＥ１１５（図４）のようなＵＥは、認可されているおよび認可されていないスペクトルを含みうる共有スペクトルのキャリアにわたって、ｅＮＢ１０５（図４）のようなサービング基地局からの基準信号を検出する。検出された信号は、送信フレームの第１のサブフレーム、またはことによると第１のサブフレームの第１の少数のシンボル中のいずれかのような、より早い時間においてサービング基地局によって送信されうる。代替として、ＵＥによって検出された基準信号は、ＣＣＡチェックが認可されていないチャネルをクリアした場合に基地局によって送信されたＣＵＢＳでありうる。
【００５３】
[0065]ブロック６０１では、ＵＥは、基準信号を測定し、ブロック６０２では、測定された基準信号に基づいて高速ＣＳＩフィードバックレポートを生成する。以下においてより詳細に説明されるように、高速ＣＳＩフィードバックレポートは、サイズ（例えば、ビット幅）が低減されうるか、ＣＳＩタイプによって低減されうるか、低減された数のＣＳＩ処理を含みうるか、または低減された性能あるいは処理要件を有しうる。ブロック６０３では、ＵＥは次に、サービング基地局に高速ＣＳＩフィードバックレポートを送信する。ＵＥは、標準的なＣＳＩレポートよりも少ない遅延で高速ＣＳＩフィードバックレポートを送信するように構成されうる。
【００５４】
[0066]図７は、基地局からの本開示の一態様をインプリメントするために実行される実例的なブロックを例示する機能ブロック図である。ブロック７００では、ｅＮＢ１０５のような基地局は、認可されているおよび認可されていないスペクトルを含みうる共有スペクトルのキャリアにわたって送信フレームの第１のサブフレーム中でＣＳＩ基準信号を送信する。述べられたように、ＣＳＩ基準信号は、送信フレームの第１のサブフレーム中で、またはことによると第１のサブフレームの（例えば、シンボルの最初の３分の１内の）第１の少数のシンボル中で送信されうる。
【００５５】
[0067]ブロック７０１では、基地局は、ＣＳＩ基準信号に基づく１つまたは複数のサービングされたＵＥからの高速ＣＳＩレポートを受信する。高速ＣＳＩレポートは、基地局が基準信号を送信したサブフレームの直後のサブフレーム中で受信されうる。ブロック７０２では、基地局は、同じ送信フレーム内の後続サブフレーム中での追加送信に高速ＣＳＩレポートを適用する。基地局はＣＳＩ基準信号を送信した後で次のサブフレーム中で高速ＣＳＩレポートを受信することから、後のサブフレームに対して同じサブフレーム内で結果として生じる情報を使用しうる。
【００５６】
[0068]測定遅延に起因するＣＳＩレポーティング遅延の一部では、本開示の様々な態様は、特定のＬＢＴフレームの早いサブフレーム中、またはことによるとＬＢＴフレームの第１のサブフレームの第１の少数のシンボル中でのチャネル測定のためにＲＳを配置しうる。図８は、本開示の一態様にしたがって構成された基地局からの認可されているおよび認可されていないスペクトルを含みうる共有スペクトルのキャリアにわたるダウンリンク送信ストリーム８０を例示する。ｅＮＢ１０５のような基地局は、ＬＢＴフレームの第１のサブフレームＳＦ０の第１のシンボル８００にわたってＣＳＩ測定のためにＲＳを送信しうる。第１のサブフレームの第１の少数のシンボル中にユニキャスト制御またはデータ送信を含まないことによって、ｅＮＢは、ＣＣＡが１つまたは複数のコンポーネントキャリア（ＣＣ）に対して除去されたかどうかに依存してスケジューリング決定を行うための時間をより有しうる。選択された態様において、グループキャスト／ブロードキャストＲＥもまた、ＣＳＩレポーティングのためにＲＳを有する第１の少数のシンボル中で可能にされうる（例えば、セルについてのＳＩＢについてのＰＤＳＣＨ）。本開示の追加の態様において、フレームの第１のサブフレームの第１の少数のシンボル中にＲＳのみを含むこの特徴は、ＣＣごとにまたはノードごとに有効／無効にされることができ、それ故に、特定のノードのために構成されたＣＣの数に結び付けられることができる（例えば、少数のＣＣの場合、特徴は、無効にされ、そうでない場合は、有効にされる）。
【００５７】
[0069]本開示の追加の態様において、ＣＵＢＳは、ＣＳＩフィードバックとの使用を検討されうる。そのような態様において、ＣＵＢＳは、チャネルおよび干渉測定の両方のために使用されうる。図９は、ｅＮＢ１０５のような基地局からの認可されているおよび認可されていないスペクトルを含みうる共有スペクトルのキャリアにわたるダウンリンク送信ストリーム９０と、ＵＥ１１５のようなＵＥからの関連するアップリンク送信ストリーム９１とを例示し、基地局およびＵＥは、本開示の態様にしたがって構成される。例示されているように、基地局は、サブフレーム８に次ぐサブフレーム中で、シンボル０〜２中のＣＣＡ機会に次ぐシンボル３〜６においてＣＵＢＳを送信することを開始するであろう。ＣＵＢＳが一般に送信されるタイミングにより、ＣＳＩフィードバック測定のためのＣＵＢＳの使用は、より一層高速なＣＳＩフィードバックを可能にすることができる。アップリンク送信ストリーム９１に関連付けられたＵＥは次に、ＣＵＢＳを測定し、ＣＳＩフィードバックレポートを測定し、アップリンク送信ストリーム９１のアップリンクサブフレーム０のシンボル６において基地局にＣＳＩレポートを送信しうる。
【００５８】
[0070]ＣＳＩフィードバック遅延を低減するために、測定遅延自体が低減されうる。例えば、４ｍｓの測定遅延の代わりに、より短い遅延、例えば、１ｍｓ、２ｍｓ、等が検討されうる。図１０は、ｅＮＢ１０５のような、基地局からの認可されているおよび認可されていないスペクトルを含みうる共有スペクトルのキャリアにわたるダウンリンク送信ストリーム１０００と、ＵＥ１１５のような、ＵＥからの関連するアップリンク送信ストリーム１００１とを例示し、基地局およびＵＥは、本開示の態様にしたがって構成される。ダウンリンク送信ストリーム１０００に関連付けられた基地局は、ダウンリンクＳＦ０の最初の２つのシンボル、すなわち、シンボル０および１中でＣＳＩ基準信号を送信する。アップリンク送信ストリーム１００１に関連付けられたＵＥは、アップリンクＳＦ０において基準信号を測定し、アップリンクＳＦ１中でＣＳＩレポートを素早く送信することができる。ダウンリンク送信ストリーム１０００に関連付けられた基地局は、ダウンリンクＳＦ２の先頭においてＣＳＩレポートを受信し、それをダウンリンクＳＦ３中で開始されるダウンリンクスケジューリングのために使用しうる。短縮された測定時間により、第１のサブフレーム中で遂行されたＣＳＩ測定が可能な限り早くフレームの後続サブフレーム中で使用されることができるように、ＣＳＩレポーティングが速やかに続くことができる。
【００５９】
[0071]本開示の様々な態様において測定遅延を低減するための１つのメカニズムは、上述されたように、ＬＢＴフレーム中でより早くＣＳＩ−ＲＳ（ＮＺＰおよび／またはＩＭ）を提供するか、またはＣＵＢＳをＣＳＩ−ＲＳとして使用することによる。ＣＳＩを決定するためにＲＳがより早く利用可能になると、ＵＥは、より早めに測定を開始しうる。
【００６０】
[0072]測定遅延を低減するために本開示の態様によって提供される別の潜在的なメカニズムは、レポーティングのためにＣＳＩフィードバックを低減することである。高速ＣＳＩフィードバック下において、ＣＳＩは、認可されていないスペクトルを有さないＬＴＥと同じでありうる。しかしながら、低減されたＣＳＩフィードバックもまた検討され、それは、低減されたビット幅、レポーティングタイプ、性能／処理要件、ＣＳＩ処理の数、等を通じて低減されることができる。
【００６１】
[0073]例えば、低減されたビット幅を通じてＣＳＩフィードバックを低減することは、レポートのために４未満のビットを使用しうる。Ｎ＜４であって、ここでは、Ｎは、ビットの数を表す。４ｍｓの遅延を有する現在のインプリメンテーションにおいて、４ビットのチャネル品質インジケータ（ＣＱＩ）が使用される（Ｎ＝４）。この４ビットのＣＱＩの代わりに、ＣＱＩの差分δCQIを識別する低減されたビットのＣＱＩが使用されうる。例えば、Ｎ＝１の場合、１ビットのδCQIは単に、最後のチャネル測定と比較してチャネル条件が改善または悪化したかどうかを示すために使用されうる。Ｎ＝２の場合、２ビットのδCQIは、より多くの詳細を提供するために、例えば、最後のレポートに関するチャネル条件における変化を示すために使用されうる。様々な他のメカニズムは、フィードバック遅延を低下させるようＣＳＩレポートのビット幅を低減するために使用されうる。
【００６２】
[0074]本開示の追加の態様は、レポーティングタイプを低減することによってＣＱＩレポートを低減しうる。典型的なＣＱＩレポートは、広帯域ＣＱＩ、サブバンドＣＱＩ、ランク、広帯域ＰＭＩ、サブバンドＰＭＩ、好ましいサブバンドＣＱＩ、等を含むであろう。これらの様々なレポーティングタイプの全ての提供された完全なレポートの代わりに、本開示の様々な態様は、高速フィードバックを可能にするであろうレポーティングタイプの限定されたセット、例えば、広帯域ＣＱＩに対するまたは全レポートタイプの何らかのサブセットに対する唯一のレポーティング、を提供しうる。
【００６３】
[0075]本開示の態様が低減されたＣＱＩ、δCQIを提供することから、性能および処理要件もまた、通常のＣＳＩフィードバックと比較して低減されうる。例えば、未加工のチャネルまたは干渉条件を提供するというような、異なる処理要件が定義されうる。その上、ＣＳＩ処理の数が低減されうる。このＣＳＩ処理の数の低減は、ネットワークによって構成されうるか、または特定のＵＥ中でハードコーディングされうる。それはまた、ＵＥ能力またはカテゴリに関連して提供されうる。これらの低減された処理要件または対処されたＣＳＩ処理の数の低減により、全体的な性能要件も、通常のＣＳＩフィードバック能力と比較すると、結果的に低減されうる。
【００６４】
[0076]本開示の様々な態様はまた、通常の、または少なくとも高速レポーティングの低減されたＣＳＩフィードバックレポートよりも後の時間において、通常のまたは改良されたＣＳＩレポートをレポーティングすることを提供しうる。図１１は、ｅＮＢ１０５のような基地局からの認可されているおよび認可されていないスペクトルを含みうる共有スペクトルのキャリアにわたるダウンリンク送信ストリーム１１００と、ＵＥ１１５のようなＵＥからの関連するアップリンク送信ストリーム１１０１とを例示し、基地局およびＵＥは、本開示の態様にしたがって構成される。ダウンリンク送信ストリーム１１００に関連付けられた基地局は、ダウンリンクＳＦ０の最初の２つのシンボル、すなわちシンボル０および１、中でＣＳＩ測定のために基準信号を送信する。アップリンク送信ストリーム１１０１に関連付けられたＵＥは、高速ＣＳＩフィードバックレポートを生成し、アップリンクＳＦ１中で基地局に高速ＣＳＩレポートを送信する。例えば、高速ＣＳＩレポートは、利用可能なＣＳＩタイプまたは処理のサブセットのみを含み、ダウンリンクＳＦ０のダウンリンクシンボル０および１中で測定された基準信号にのみ基づきうる。後続の改良されたまたは通常のＣＳＩレポートは、このように、同じ数またはより多くのＣＳＩ処理のためにより豊富、より詳細かつ正確なＣＳＩ情報を提供するために提供されうるものであり、それはまた、シンボルのより大きなセットのＵＥ測定に基づきうる。例えば、通常のまたは改良されたＣＳＩフィードバックは、ダウンリンクＳＦ０のダウンリンクシンボルの全ての測定に基づいて決定され、ＣＳＩ処理またはタイプの選択されたサブセットよりも多くを含む。アップリンク送信フレーム１１０１に関連付けられたＵＥは次に、アップリンクＳＦ４において基地局に通常のまたは改良されたＣＳＩフィードバックレポートを送信するであろう。
【００６５】
[0077]本開示の追加の態様は、ＵＥからのＣＳＩフィードバック送信を低減することによってＣＳＩフィードバック遅延を低減しうる。図１２は、基地局からの認可されているおよび認可されていないスペクトルを含みうる共有スペクトルのキャリアにわたるダウンリンク送信ストリーム１２００と、ＵＥからの関連するアップリンク送信ストリーム１２０１との一部を例示し、基地局およびＵＥは、本開示の一態様にしたがって構成される。現在、ＣＳＩフィードバック送信は、完全な１ｍｓサブフレーム上で送信されている。追加の態様は、ＵＬ送信時間を短縮することを検討しうる。例えば、そのような態様の様々なインプリメンテーションは、ＰＵＣＣＨまたはＰＵＳＣＨ上の０．５ｍｓのアップリンク送信１２０２上でＣＳＩフィードバックを送るためにＵＥを提供しうる。そのようなインプリメンテーションにおいて、第１のサブフレーム（ＳＦ０）中のＲＳに基づいて測定されたＣＳＩは、第２のアップリンクサブフレーム（ＳＦ１）中で０．５ｍｓのアップリンク送信１２０２により送信されうるものであり、ｅＮＢは、第３のダウンリンクサブフレーム（ＳＦ２）中でＤＬスケジューリングのためにそれを使用しうる。
【００６６】
[0078]本開示の代替の態様は、低減された０．５ｍｓのＵＬ送信の代わりに、高速ＣＳＩフィードバックのために単一のＵＬシンボルを指定しうる。そのような態様は、特別なサブフレームのような構造を有するために認可されていないスペクトルを含むＬＴＥ／ＬＴＥ−Ａネットワーク中でダウンリンクサブフレームのＣＣを構成しうるものであり、その中において、単一のシンボルは、アップリンクＣＳＩフィードバック送信を調整しうる。図１３は、本開示の一態様にしたがって構成された基地局からの認可されているおよび認可されていないスペクトルを含みうる共有スペクトルのキャリアにわたるダウンリンク送信ストリーム１３００を例示する。ダウンリンク送信ストリーム１３００に関連付けられた基地局は、ダウンリンクＳＦ０のシンボル０および１中でＣＳＩ測定のために基準信号を送信する。いかなるアップリンクキャリアも利用可能でない場合、ＣＳＩフィードバックを提供するＵＥは、基地局にＣＳＩレポートを送信することができないであろう。それ故に、ＵＥからのインジケーションは、基地局によって受信され、それは、ダウンリンクＳＦ０のダウンリンクシンボルのうちの１つ、ダウンリンクシンボル５、をアップリンクシンボルに切り替えるであろう。切り替えられたシンボルでは、ＵＥは、ダウンリンクＳＦ０の切り替えられたシンボル５中で高速ＣＳＩレポートを送信するであろう。ダウンリンクＳＦ０のシンボル４および６は、フレーム構造をダウンリンクからアップリンクに、そしてダウンリンクに戻るように切り替えるために送信期間として使用されるであろう。
【００６７】
[0079]同様の単一シンボルＣＳＩフィードバック構造はまた、そのような専用のＵＬ ＣＣが利用可能である場合に、ＬＴＥ ＵＬ ＣＣのために構成されうる。図１４は、基地局からの認可されているおよび認可されていないスペクトルを含みうる共有スペクトルのキャリアにわたるダウンリンク送信ストリーム１４００と、ＵＥからの関連するアップリンク送信ストリーム１４０１との一部を例示し、基地局およびＵＥは、本開示の一態様にしたがって構成される。例えば、アップリンクサブフレーム０のアップリンクシンボル５は、高速ＣＳＩフィードバックレポーティングシンボルとして指定されうる。それ故に、アップリンク送信フレーム１４０１に関連付けられたＵＥは、指定されたアップリンクシンボル５中で、ダウンリンクサブフレーム０のシンボル０および１中で基地局によって送信された基準信号の測定に基づいて、高速ＣＳＩフィードバックレポートを送信するであろう。
【００６８】
[0080]ＬＴＥシステムにおいて、ＵＥは一般に、サウンディング基準信号（ＳＲＳ：sounding reference signals）を送信するように構成される場合に最後のアップリンクサブフレームの最後のシンボル中でＳＲＳを送信する。本開示の追加の態様は、ＳＲＳ送信を使用してＣＳＩフィードバック情報を伝達することを提供する。例えば、ＳＲＳに対して異なるサイクリックシフトを使用することによって、特定のシフトに関連付けられた何らかのＣＳＩ情報が伝達されうる。このように、図１４を参照すると、代替の例において、アップリンク送信フレーム１４０１のサブフレーム３は、ＣＳＩ情報を伝達するようにサイクリックシフトされたＳＲＳを含みうる。動作中、追加の複雑性を伴うことなしにＳＲＳ送信の異なるサイクリックシフトを使用することによって、２ビット以下のＣＳＩ情報が事実上伝達されうる。しかしながら、様々な追加の態様は、異なる利用可能なサイクリックシフトに潜在的なコーディングスキームで２よりも多いビットのＣＳＩ情報を提供しうる。
【００６９】
[0081]ＳＲＳ送信のサイクリックシフトを使用してＣＳＩフィードバック情報を伝達するのと同様に、高速ＣＳＩレポートは、ＵＥチャネル条件に基づく変調オーダ（modulation order）を使用して変調されうる。変調オーダのそのような使用はまた、ＰＵＳＣＨ送信上でＣＳＩレポートをピギーバックすることに類似しており、ここにおいて、ＣＱＩレポートの変調オーダは、ＰＵＳＣＨ送信の変調オーダに従う。
【００７０】
[0082]ＰＵＣＣＨを使用してＣＳＩフィードバック情報を送信する場合、本開示の態様は、ＣＳＩフィードバックレポートのペイロードサイズに依存して使用されるべき多数のＰＵＣＣＨチャネルを提供しうる。指定されたＰＵＣＣＨチャネルはまた、連続するＲＢ中に位置付けられうる。このように、高速ＣＳＩレポートのためにより少ないＰＵＣＣＨチャネルが使用され、その一方で完全なＣＳＩレポートのためにより多くのＰＵＣＣＨチャネルがサポートされうる。
【００７１】
[0083]本開示の様々な態様は、グループキャストまたはブロードキャストシグナリングのような、専用シグナリングの形態を通じてＣＳＩレポーティング機会により高い柔軟性を提供しうる。例えば、サブフレーム中での高速ＣＳＩフィードバックレポートをレポートするか否かを決定するためにＵＥが制御信号中の１つまたは複数のビットをモニタする、ダウンリンク制御インジケータ（ＤＣＩ）のような、共通グループ制御信号に埋め込まれたシグナリングが導入されうる。そのようなインジケータは、グループ制御信号が送信されるＣＣから提供されうるか、または異なるＣＣに対してクロスキャリア方式で提供されうる。
【００７２】
[0084]図１５および１６は、基地局からの認可されていないおよび認可されている周波数キャリアにわたるダウンリンク送信ストリームと、ＵＥからの関連するアップリンク送信ストリームとの一部を例示し、基地局およびＵＥは、本開示の一態様にしたがって構成される。
【００７３】
[0085]ＵＥのグループに対して高速ＣＳＩフィードバックレポーティングのためにグループトリガリング信号を提供することを決定するに際に、ｅＮＢは、それ自体のスケジューリングに関連してそのような決定を行うことができる。例えば、ＵＥがトラフィックの要求に起因してスケジュールされるべきである場合、本開示の様々な態様は、サービングｅＮＢが、高速ＣＳＩレポートを送るためにＵＥをトリガすることを可能にする。そのような高速ＣＳＩレポートトリガリング信号／チャネルの配置は、ＣＳＩ測定が遂行されるサブフレームの前において好まれうる。図１５Ａおよび１５Ｂは、基地局からの認可されていない１５００および認可されている１５０２周波数キャリアにわたるダウンリンク送信ストリームと、ＵＥからの関連するアップリンク送信ストリーム１５０１との一部を例示し、基地局およびＵＥは、本開示の一態様にしたがって構成される。図１５Ａ中に例示されているように、グループ高速ＣＳＩインジケータ１５０３が、ＣＳＩ基準信号が送信されるサブフレームより前に配置される場合、アップリンク送信フレーム１５０１に関連付けられたＵＥは、アップリンクサブフレーム０中でのＣＳＩ測定およびアップリンクサブフレーム１中でのレポーティングの両方をスキップしうるものであり、それは、かなりの処理リソースを節約し、したがって、電力を節約しうる。しかしながら、図１５Ｂ中に例示されているように、グループ高速ＣＳＩインジケータ１５０４は、ＣＳＩ基準信号と同じサブフレーム中に配置される場合、ＵＥは依然として、ＣＳＩ測定に取り掛かり、高速ＣＳＩフィードバックレポートを計算しうるが、グループ高速ＣＳＩインジケータ１５０４が高速ＣＳＩレポーティングを無効または有効にすることを示すかどうかに依存するものであり、ＣＳＩ測定リソースがＵＥによって受信された後でＣＳＩトリガリングインジケーションを復号することが完了しうることから、ＵＥは、レポートの送信をスキップすることも、しないこともありうる。
【００７４】
[0086]本開示の追加の態様は、多数のＣＳＩトリガリングインジケーションを提供しうる。このように、ＵＥは、サブフレーム中で１つのチャネル中における１つまたは複数のＣＳＩトリガをモニタし、ここでは、１つまたは複数のＣＳＩトリガは、異なるＣＣおよび／または異なるサブフレームに対応しうる。各セルはまた、１つまたは複数のＣＳＩトリガリングチャネルを送信しうるものであり、例えば、ＵＥの異なるグループをターゲットとする。これらの異なるＣＣは、物理ＣＣのセットまたは仮想ＣＣのセットであることができる。
【００７５】
[0087]ＣＳＩをレポートするためにトリガされたＵＥの場合、本開示の態様は、異なるＵＥに対して規定されるべき同じまたは異なるＣＳＩレポーティング遅延を提供しうる。例えば、ＣＳＩレポーティングのスタガリングは、ＵＥの第１のセットが第１の時間インスタンス（time instance）中にレポートし、その一方でＵＥの第２のセットが第２の時間インスタンス中にレポートするように、可能にされうる。このスタガリングは、ＵＥオーバヘッドのバランスを取る助けとなりうる。その上、高速ＣＳＩフィードバックをレポーティングするＵＥの場合、ＰＵＣＣＨ／ＰＵＳＣＨリソースは、半静的または動的に示されることができる。例えば、グループ共通ＤＣＩ中では、多数のＵＥに対して多数のインデックスが存在しうるものであり、これらのインデックスは、ＰＵＣＣＨ／ＰＵＳＣＨリソースを導出するために使用されることができる。
【００７６】
[0088]認可されていないスペクトルを含むＬＴＥ／ＬＴＥ−Ａネットワークの場合、ＵＬ送信の準備をしているＵＥは、送信が起こりうるＵＬ ＣＣの各々に対してＣＣＡチェックを遂行する。本開示の様々な態様において、多数のＵＬ ＣＣがＵＥ送信のために構成される場合、ＣＳＩフィードバックレポーティングは、最も早いＵＬレポーティング機会を提供するＵＬ ＣＣ上で遂行されうる。これは、認可されていないスペクトルを有さないＬＴＥネットワークとは異なり、ここでは、非周期的ＣＳＩレポーティングの場合、Ａ−ＣＳＩを搬送するＵＬ ＣＣは、Ａ−ＣＳＩトリガリングを搬送するＤＣＩに対応するＵＬ ＣＣである。周期的ＣＳＩの場合、送信は、最下位のセルインデックスを有するＰＵＳＣＨ ＣＣ上またはＰＵＣＣＨ上のいずれかに存在するであろう。認可されていないスペクトルを含むＬＴＥ／ＬＴＥ−Ａネットワーク中の態様において、ＰＵＣＣＨ上での周期的ＣＳＩレポーティングまたはＰＵＳＣＨ上での周期的および非周期的の両方のＣＳＩレポーティングは、除去されたＣＣＡおよび最下位のセルインデックスを用いてＵＬ ＣＣ、または何らかの他の同様の容易に識別可能なＣＣ上で送信されうる。
【００７７】
[0089]少なくとも１つのＵＬ ＣＣ上での少なくともいくつかのＰＵＳＣＨ送信の場合、少なくとも対応するＤＬ ＣＣに対する、およびことによると他のＤＬ ＣＣに対するＣＳＩレポーティングは、たとえＡ−ＣＳＩトリガリングまたは外部での周期的ＣＳＩ送信インスタンスを伴わなくとも、ＰＵＳＣＨ送信上でピギーバックされうることに留意されたい。例えば、ＣＳＩレポーティングは、フレームの第１のＵＬサブフレーム中でのＰＵＳＣＨ送信上にピギーバックされうる。そのような態様は、ＰＵＳＣＨのＴＢＳ／ＭＣＳが大きい場合などにおいて、ピギーバックされた送信に対する制約を含みうる。
【００７８】
[0090]認可されていないスペクトルを含むＬＴＥ／ＬＴＥ−Ａネットワークは、異なるタイプの展開、補足的なダウンリンク（ＳＤＬ）、キャリアアグリゲーション（ＣＡ）、およびスタンドアロン（ＳＡ）展開、を使用してインプリメントされうる。ＳＤＬ展開において、認可されていないスペクトルは、典型的なＬＴＥ認可されているスペクトルキャリアとともに追加のダウンリンクキャリアをとして使用されうる。ＣＡ展開は、認可されているスペクトル中のＣＣとともにＣＡ構成中で認可されていないスペクトル中のＣＣを提供し、その一方でＳＡ展開は、単に認可されていないスペクトルにわたってＬＴＥ／ＬＴＥ−Ａ通信を提供する。前述された特徴のうちのいくつかの高速ＣＳＩフィードバックのサポートまたは実施可能性（enablement）は、認可されていないスペクトルを含むＬＴＥ／ＬＴＥ−Ａの特定の展開（例えば、ＳＤＬ、ＣＡ、ＳＡ）に依存しうる。
【００７９】
[0091]例えば、ＵＥがプライマリＣＣとしてＬＴＥ認可されているスペクトルＣＣを用いて構成される場合、保証されたＵＬ送信のせいで、いくつかの柔軟なＣＳＩレポーティングメカニズムは、無効にされるか、またはサポートされないことがありうる（例えば、ＤＬ ＣＣに対するＣＳＩレポーティングは、最も早いＵＬレポーティング機会を提供するＵＬ ＣＣ上で行われることができる）。高速フィードバックは次に、認可されていないスペクトルを含むＬＴＥ／ＬＴＥ−ＡのＳＤＬおよびＣＡ展開のためにサポートされうるが、高速ＣＳＩフィードバックのためのＵＬサブフレームが一般には存在しないであろうことから、ＳＡのためにはサポートされないことがありうる。
【００８０】
[0092]当業者は、情報および信号が様々な異なる技術ならびに技法のいずれかを使用して表されうることを理解するであろう。例えば、上記の説明全体を通じて参照されうるデータ、命令、コマンド、情報、信号、ビット、シンボル、およびチップは、電圧、電流、電磁波、磁場または磁性粒子、光場または光粒子、あるいはそれらの任意の組み合わせによって表されうる。
【００８１】
[0093]図６および７中の機能ブロックおよびモジュールは、プロセッサ、電子デバイス、ハードウェアデバイス、電子コンポーネント、論理回路、メモリ、ソフトウェアコード、ファームウェアコード、等、またはそれらの任意の組み合わせを備えうる。
【００８２】
[0094]当業者はさらに、本明細書における開示に関連して説明された様々な例示的な論理ブロック、モジュール、回路、およびアルゴリズムステップが電子ハードウェア、コンピュータソフトウェア、または両方の組み合わせとしてインプリメントされうることを認識するであろう。ハードウェアおよびソフトウェアのこの互換性を明確に例示するために、様々な例示的なコンポーネント、ブロック、モジュール、回路、およびステップが、一般にそれらの機能性の観点から上述されてきた。そのような機能性がハードウェアまたはソフトウェアとしてインプリメントされるかどうかは、特定のアプリケーションおよびシステム全体に課せられる設計制約に依存する。当業者は、説明された機能を特定のアプリケーションごとに様々な方法でインプリメントしうるが、そのようなインプリメンテーションの決定は、本開示の範囲からの逸脱を引き起こしていると解釈されるべきではない。当業者はまた、本明細書において説明されたコンポーネント、方法、または相互作用の順序あるいは組み合わせが例に過ぎず、本開示の様々な態様のコンポーネント、方法、または相互作用が本明細書において例示および説明されたもの以外の方法で遂行あるいは組み合わされうることを容易に認識するであろう。
【００８３】
[0095]本明細書における開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、または本明細書において説明された機能を遂行するように設計されたそれらの任意の組み合わせを用いてインプリメントまたは遂行されうる。汎用プロセッサは、マイクロプロセッサでありうるが、代替において、プロセッサは、任意の従来のプロセッサ、コントローラ、マイクロコントローラ、またはステートマシンでありうる。プロセッサはまた、計算デバイスの組み合わせ、例えば、ＤＳＰおよびマイクロプロセッサの組み合わせ、複数のマイクロプロセッサ、ＤＳＰコアと連携した１つまたは複数のマイクロプロセッサ、または任意の他のそのような構成としてインプリメントされうる。
【００８４】
[0096]本明細書における開示に関連して説明された方法またはアルゴリズムのステップは、直接ハードウェア中で、プロセッサによって実行されたソフトウェアモジュール中で、または２つの組み合わせで具現化されうる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術において知られる任意の他の形態の記憶媒体中に存在しうる。例証的な記憶媒体は、プロセッサが記憶媒体から情報を読み取り、記憶媒体に情報を書き込むことができるように、プロセッサに結合される。代替において、記憶媒体は、プロセッサと一体化されうる。プロセッサおよび記憶媒体は、ＡＳＩＣ中に存在しうる。ＡＳＩＣは、ユーザ端末中に存在しうる。代替において、プロセッサおよび記憶媒体は、ユーザ端末中に離散コンポーネントとして存在しうる。
【００８５】
[0097]１つまたは複数の例証的な設計において、説明された機能は、ハードウェア、ソフトウェア、ファームウェア、またはそれらの任意の組み合わせでインプリメントされうる。ソフトウェア中でインプリメントされる場合、機能は、コンピュータ可読媒体上における１つまたは複数の命令またはコードとして記憶または送信されうる。コンピュータ可読媒体は、ある場所から別の場所へのコンピュータプログラムの転送を容易にする任意の媒体を含む通信媒体とコンピュータ記憶媒体との両方を含む。コンピュータ可読記憶媒体は、汎用または特殊用途コンピュータによってアクセスされることができる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは命令またはデータ構造の形態で所望のプログラムコード手段を搬送または記憶するために使用されることができ、汎用または特殊用途コンピュータ、もしくは汎用または特殊用途プロセッサによってアクセスされることができる任意の他の媒体を備えることができる。また、接続は、厳密にはコンピュータ可読媒体と称されうる。例えば、ソフトウェアが、同軸ケーブル、光ファイバケーブル、ツイストペア、またはデジタル加入者回線（ＤＳＬ）を使用してウェブサイト、サーバ、または他の遠隔ソースから送信される場合、同軸ケーブル、光ファイバケーブル、ツイストペア、またはＤＳＬは、媒体の定義に含まれる。ディスク（disk）およびディスク（disc）は、本明細書で使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここでは、ディスク（disk）は通常、磁気的にデータを再生し、その一方でディスク（disc）は、レーザーを用いて光学的にデータを再生する。上記の組み合わせはまた、コンピュータ可読媒体の範囲内に含まれるべきである。
【００８６】
[0098]特許請求の範囲を含む、本明細書で使用される場合、「および／または（and/or）」という用語は、２つ以上の項目のリスト中で使用される場合、リストされた項目のうちのいずれか１つが単独で用いられることができる、またはリストされた項目のうちの２つ以上の任意の組み合わせが用いられることができることを意味する。例えば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含むことができる。また、特許請求の範囲を含む、本明細書で使用される場合、「〜のうちの少なくとも１つ」で始まる項目のリスト中で使用される「または／あるいは／もしくは（or）」は、例えば「Ａ、Ｂ、またはＣのうちの少なくとも１つ」のリストが、Ａ、Ｂ、Ｃ、ＡとＢ、ＡとＣ、ＢとＣ、ＡとＢとＣ（すなわち、Ａ、Ｂ、およびＣ）を意味するような、選言的なリストを示す。
【００８７】
[0099]本開示の先の説明は、当業者が本開示を製造または使用することを可能にするために提供される。本開示に対する様々な修正は、当業者にとって容易に明らかとなり、本明細書で定義された包括的な原理は、本開示の精神または範囲から逸脱することなしに他の変形例に適用されうる。したがって、本開示は、本明細書において説明された例および設計に限定されるよう意図されず、本明細書で開示された原理および新規の特徴と一致する最も幅広い範囲が付与されるべきである。
以下に本願の出願当初の特許請求の範囲に記載された発明を付記する。
［Ｃ１］
ワイヤレス通信の方法であって、
ユーザ機器（ＵＥ）が、共有スペクトルのキャリアにわたってサービング基地局からの基準信号を検出することと、
前記ＵＥが、前記基準信号を測定することと、
前記ＵＥが、前記測定された基準信号に基づいて高速チャネル局情報（ＣＳＩ）フィードバックレポートを生成することと、
前記ＵＥが、前記サービング基地局に前記高速ＣＳＩフィードバックレポートを送信することと
を備える方法。
［Ｃ２］
前記検出することは、前記サービング基地局の送信フレームの第１のサブフレーム中で前記基準信号を検出することを含む、Ｃ１に記載の方法。
［Ｃ３］
前記基準信号は、前記サービング基地局からのチャネル使用ビーコン信号（ＣＵＢＳ：channel usage beacon signal）を含む、Ｃ１に記載の方法。
［Ｃ４］
前記高速ＣＳＩフィードバックレポートを前記生成することは、
前記高速ＣＳＩフィードバックレポートのために標準的なＣＳＩフィードバックレポートのビット幅を低減することと、
前記高速ＣＳＩフィードバックレポート中に含めるために複数の利用可能なＣＳＩレポーティングタイプからＣＳＩレポーティングタイプのサブセットを選択することと、
前記高速ＣＳＩフィードバックレポート中に含めるために複数の利用可能なＣＳＩ処理からＣＳＩ処理のサブセットを選択することと、
前記高速ＣＳＩフィードバックレポートのために前記基準信号の測定のＣＳＩ測定処理を低減することと、
前記高速ＣＳＩフィードバックレポートのためにＣＳＩレポーティングの送信持続時間を低減することと
のうちの１つまたは複数を含む、Ｃ１に記載の方法。
［Ｃ５］
前記基準信号に少なくとも部分的に基づいて非高速ＣＳＩフィードバックレポートを生成することと、
前記高速ＣＳＩフィードバックレポートから間隔を隔てた後に前記非高速ＣＳＩフィードバックレポートを送信することと
をさらに備える、Ｃ１に記載の方法。
［Ｃ６］
前記非高速ＣＳＩフィードバックレポートは、
標準的なＣＳＩフィードバックレポート、または
改良されたＣＳＩフィードバックレポート、ここにおいて、前記改良されたＣＳＩフィードバックレポートは、追加のチャネル情報または干渉情報のうちの１つに基づく、
のうちの１つを含む、Ｃ５に記載の方法。
［Ｃ７］
前記高速ＣＳＩフィードバックレポートは、前記基準信号が検出されるダウンリンクサブフレームの後のアップリンクサブフレーム中で送信される、Ｃ１に記載の方法。
［Ｃ８］
前記サービング基地局から高速ＣＳＩレポーティングインジケータを受信することをさらに備え、前記高速ＣＳＩレポーティングインジケータは、高速ＣＳＩレポーティングを有効にするか無効にするかを前記ＵＥに示す、Ｃ１に記載の方法。
［Ｃ９］
高速ＣＳＩレポーティングを無効にすることを示す前記高速ＣＳＩレポーティングインジケータを受信することに応答して、前記ＵＥは、前記高速ＣＳＩレポーティングインジケータが受信された後に生じる前記測定すること、前記生成すること、および前記送信することのうちの１つまたは複数をそれぞれ無効にする、Ｃ８に記載の方法。
［Ｃ１０］
前記高速ＣＳＩフィードバックレポートを前記送信することは、
前記ＵＥが、複数のアップリンクキャリアのうちの最も早く利用可能なアップリンクキャリアを決定することと、
前記決定された最も早く利用可能なアップリンクキャリア上で前記高速ＣＳＩフィードバックレポートを送信することと
を含む、Ｃ１に記載の方法。
［Ｃ１１］
前記共有スペクトルは、複数のオペレータの間で共有することを可能にするスペクトルまたは認可されていないスペクトルのうちの少なくとも１つである、Ｃ１に記載の方法。
［Ｃ１２］
ワイヤレス通信のための装置であって、
ユーザ機器（ＵＥ）が、共有スペクトルのキャリアにわたってサービング基地局からの基準信号を検出するための手段と、
前記ＵＥが、前記基準信号を測定するための手段と、
前記ＵＥが、前記測定された基準信号に基づいて高速チャネル局情報（ＣＳＩ）フィードバックレポートを生成するための手段と、
前記ＵＥが、前記サービング基地局に前記高速ＣＳＩフィードバックレポートを送信するための手段と
を備える装置。
［Ｃ１３］
前記検出するための手段は、前記サービング基地局の送信フレームの第１のサブフレーム中で前記基準信号を検出するための手段を含む、Ｃ１２に記載の装置。
［Ｃ１４］
前記高速ＣＳＩフィードバックレポートを前記生成するための手段は、
前記高速ＣＳＩフィードバックレポートのために標準的なＣＳＩフィードバックレポートのビット幅を低減するための手段と、
前記高速ＣＳＩフィードバックレポート中に含めるために複数の利用可能なＣＳＩレポーティングタイプからＣＳＩレポーティングタイプのサブセットを選択するための手段と、
前記高速ＣＳＩフィードバックレポート中に含めるために複数の利用可能なＣＳＩ処理からＣＳＩ処理のサブセットを選択するための手段と、
前記高速ＣＳＩフィードバックレポートのために前記基準信号の測定のＣＳＩ測定処理を低減するための手段と、
前記高速ＣＳＩフィードバックレポートのためにＣＳＩレポーティングの送信持続時間を低減するための手段と
のうちの１つまたは複数を含む、Ｃ１２に記載の装置。
［Ｃ１５］
前記基準信号に少なくとも部分的に基づいて非高速ＣＳＩフィードバックレポートを生成するための手段と、
前記高速ＣＳＩフィードバックレポートから間隔を隔てた後に前記非高速ＣＳＩフィードバックレポートを送信するための手段と
をさらに含む、Ｃ１２に記載の装置。
［Ｃ１６］
前記非高速ＣＳＩフィードバックレポートは、
標準的なＣＳＩフィードバックレポート、または
改良されたＣＳＩフィードバックレポート、ここにおいて、前記改良されたＣＳＩフィードバックレポートは、追加のチャネル情報または干渉情報のうちの１つに基づく、
のうちの１つを含む、Ｃ１５に記載の装置。
［Ｃ１７］
前記高速ＣＳＩフィードバックレポートは、前記基準信号が検出されるダウンリンクサブフレームの後のアップリンクサブフレーム中で送信される、Ｃ１２に記載の装置。
［Ｃ１８］
前記高速ＣＳＩフィードバックレポートを前記送信するための手段は、
前記ＵＥが、複数のアップリンクキャリアのうちの最も早く利用可能なアップリンクキャリアを決定するための手段と、
前記決定された最も早く利用可能なアップリンクキャリア上で前記高速ＣＳＩフィードバックレポートを送信するための手段と
を含む、Ｃ１２に記載の装置。
［Ｃ１９］
前記共有スペクトルは、複数のオペレータの間で共有することを可能にするスペクトルまたは認可されていないスペクトルのうちの少なくとも１つである、Ｃ１２に記載の装置。
［Ｃ２０］
記録されたプログラムコードを有する非一時的コンピュータ可読媒体であって、前記プログラムコードは、
コンピュータに、ユーザ機器（ＵＥ）によって、共有スペクトルのキャリアにわたってサービング基地局からの基準信号を検出させるためのプログラムコードと、
前記コンピュータに、前記ＵＥによって、前記基準信号を測定させるためのプログラムコードと、
前記コンピュータに、前記ＵＥによって、前記測定された基準信号に基づいて高速チャネル局情報（ＣＳＩ）フィードバックレポートを生成させるためのプログラムコードと、
前記コンピュータに、前記ＵＥによって、前記サービング基地局に前記高速ＣＳＩフィードバックレポートを送信させるためのプログラムコードと
を含む、非一時的コンピュータ可読媒体。
［Ｃ２１］
前記コンピュータに検出させるための前記プログラムコードは、前記コンピュータに、前記サービング基地局の送信フレームの第１のサブフレーム中で前記基準信号を検出させるためのプログラムコードを含む、Ｃ２０に記載のコンピュータプログラム製品。
［Ｃ２２］
前記コンピュータに、前記高速ＣＳＩフィードバックレポートを生成させるための前記プログラムコードは、
前記コンピュータに、前記高速ＣＳＩフィードバックレポートのために標準的なＣＳＩフィードバックレポートのビット幅を低減させるためのプログラムコードと、
前記コンピュータに、前記高速ＣＳＩフィードバックレポート中に含めるために複数の利用可能なＣＳＩレポーティングタイプからＣＳＩレポーティングタイプのサブセットを選択させるためのプログラムコードと、
前記コンピュータに、前記高速ＣＳＩフィードバックレポート中に含めるために複数の利用可能なＣＳＩ処理からＣＳＩ処理のサブセットを選択させるためのプログラムコードと、
前記コンピュータに、前記高速ＣＳＩフィードバックレポートのために前記基準信号の測定のＣＳＩ測定処理を低減させるためのプログラムコードと、
前記コンピュータに、前記高速ＣＳＩフィードバックレポートのためにＣＳＩレポーティングの送信持続時間を低減させるためのプログラムコードと
のうちの１つまたは複数を含む、Ｃ２０に記載のコンピュータプログラム製品。
［Ｃ２３］
前記高速ＣＳＩフィードバックレポートは、前記基準信号が検出されるダウンリンクサブフレームの後のアップリンクサブフレーム中で送信される、Ｃ２０に記載のコンピュータプログラム製品。
［Ｃ２４］
前記共有スペクトルは、複数のオペレータの間で共有することを可能にするスペクトルまたは認可されていないスペクトルのうちの少なくとも１つである、Ｃ２０に記載のコンピュータプログラム製品。
［Ｃ２５］
ワイヤレス通信のために構成された装置であって、前記装置は、
少なくとも１つのプロセッサと、
前記少なくとも１つのプロセッサに結合されたメモリと、
を備え、
前記少なくとも１つのプロセッサは、
ユーザ機器（ＵＥ）が、共有スペクトルのキャリアにわたってサービング基地局からの基準信号を検出することと、
前記ＵＥが、前記基準信号を測定することと、
前記ＵＥが、前記測定された基準信号に基づいて高速チャネル局情報（ＣＳＩ）フィードバックレポートを生成することと、
前記ＵＥが、前記サービング基地局に前記高速ＣＳＩフィードバックレポートを送信することと
を行うように構成される、装置。
［Ｃ２６］
検出するための前記少なくとも１つのプロセッサの前記構成は、前記サービング基地局の送信フレームの第１のサブフレーム中で前記基準信号を検出するための構成を含む、Ｃ２５に記載の装置。
［Ｃ２７］
前記高速ＣＳＩフィードバックレポートを生成するための前記少なくとも１つのプロセッサの前記構成は、
前記高速ＣＳＩフィードバックレポートのために標準的なＣＳＩフィードバックレポートのビット幅を低減することと、
前記高速ＣＳＩフィードバックレポート中に含めるために複数の利用可能なＣＳＩレポーティングタイプからＣＳＩレポーティングタイプのサブセットを選択することと、
前記高速ＣＳＩフィードバックレポート中に含めるために複数の利用可能なＣＳＩ処理からＣＳＩ処理のサブセットを選択することと、
前記高速ＣＳＩフィードバックレポートのために前記基準信号の測定のＣＳＩ測定処理を低減することと、
前記高速ＣＳＩフィードバックレポートのためにＣＳＩレポーティングの送信持続時間を低減することと
のうちの１つまたは複数を行うための前記少なくとも１つのプロセッサの構成を含む、Ｃ２５に記載の装置。
［Ｃ２８］
前記高速ＣＳＩフィードバックレポートは、前記基準信号が検出されるダウンリンクサブフレームの後のアップリンクサブフレーム中で送信される、Ｃ２５に記載の装置。
［Ｃ２９］
高速ＣＳＩレポーティングを無効にすることを示す前記高速ＣＳＩレポーティングインジケータを受信することに応答して、前記ＵＥは、前記高速ＣＳＩレポーティングインジケータが受信された後に生じる測定すること、生成すること、および送信することを行うための前記少なくとも１つのプロセッサの前記構成のうちの１つまたは複数をそれぞれ無効にする、Ｃ２８に記載の装置。
［Ｃ３０］
前記共有スペクトルは、複数のオペレータの間で共有することを可能にするスペクトルまたは認可されていないスペクトルのうちの少なくとも１つである、Ｃ２５に記載の装置。
【図１】
0006373999.tif 000002
【図２Ａ】
0006373999.tif 000003
【図２Ｂ】
0006373999.tif 000004
【図３】
0006373999.tif 000005
【図４】
0006373999.tif 000006
【図５】
0006373999.tif 000007
【図６】
0006373999.tif 000008
【図７】
0006373999.tif 000009
【図８】
0006373999.tif 000010
【図９】
0006373999.tif 000011
【図１０】
0006373999.tif 000012
【図１１】
0006373999.tif 000013
【図１２】
0006373999.tif 000014
【図１３】
0006373999.tif 000015
【図１４】
0006373999.tif 000016
【図１５Ａ】
0006373999.tif 000017
【図１５Ｂ】
0006373999.tif 000018